(57)【要約】【課題】取り付け態様に応じた磁気検出を可能とする磁気検出器を備えた遊技機を提供する。【解決手段】本発明に係る遊技機は、互いに直交する３軸方向の磁気を検出可能な磁気検出器を備え前記磁気検出器は、取り付け態様に応じた、前記３軸の磁気検出方向の内の２軸を有効検出方向とする第１の設定、もしくは、前記第１の設定と異なる組み合わせの２軸を有効検出方向とする第２の設定に設定可能な設定手段を備えることを特徴とする。【選択図】図１１
2015231402.tif 000002
【特許請求の範囲】
【請求項１】
互いに直交する３軸方向の磁気を検出可能な磁気検出器を備え、
前記磁気検出器は、取り付け態様に応じた、前記３軸の磁気検出方向の内の２軸を有効検出方向とする第１の設定、もしくは、前記第１の設定と異なる組み合わせの２軸を有効検出方向とする第２の設定に設定可能な設定手段を備えることを特徴とする
遊技機。
【請求項２】
前記設定手段は、前記第１の設定、もしくは、前記第２の設定に設定する選択信号を入力可能な入力部を有することを特徴とする
請求項１に記載の遊技機。
【請求項３】
前記設定手段に対する選択信号は、前記遊技機を制御する制御手段が搭載された主基板から出力されることを特徴とする
請求項２に記載の遊技機。
【請求項４】
前記設定手段に対する選択信号は、前記磁気検出器の設定用の回路を有する設定基板から出力されることを特徴とする
請求項２に記載の遊技機。
【請求項５】
前記設定手段は、選択信号の値の大きさによって前記第１の設定、もしくは、前記第２の設定に設定する
請求項３から請求項４の何れか１項に記載の遊技機。
【請求項６】
前記設定手段は、前記第１の設定、もしくは、前記第２の設定に切り替えるスイッチを有することを特徴とする
請求項１に記載の遊技機。
【請求項７】
前記磁気検出器には、２軸の有効検出方向を示すマーカーが表記されていることを特徴とする
請求項６に記載の遊技機。
【請求項８】
前記磁気検出器は、面積が異なる第１面と第２面を有し、
前記取り付け態様は、前記第１面を前記遊技機の裏面に対向させた状態、もしくは、前記第２面を前記遊技機の裏面に対向させた状態であることを特徴とする
請求項１から請求項７の何れか１項に記載の遊技機。
【請求項９】
前記磁気検出器は、外部に信号線を取り出すための信号線導出孔を有し、
前記取り付け態様によって、前記遊技機の裏面に対して前記信号線導出孔の向く方向が異なることを特徴とする
請求項８に記載の遊技機。
【請求項１０】
互いに直交する３軸方向の磁気を検出可能とし、対象装置に取り付け可能な磁気検出器であって、
取り付け態様に応じた、前記３軸の磁気検出方向の内の２軸を有効検出方向とする第１の設定、もしくは、前記第１の設定と異なる組み合わせの２軸を有効検出方向とする第２の設定に設定可能な設定手段を備えることを特徴とする
磁気検出器。
【発明の詳細な説明】
【技術分野】
【０００１】
本発明は、遊技媒体を用いて所定の遊技を行うことが可能なパチンコ遊技機等の遊技機、及び、遊技機において不正行為によって生じる磁気を検出可能な磁気検出器に関する。
【背景技術】
【０００２】
遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示装置が設けられ、可変表示装置において識別情報の可変表示の表示結果が特定表示結果となった場合に、遊技状態（遊技機の状態。より具体的には、遊技機が制御されている状態。）を、所定の遊技価値を遊技者に与えるように構成されたものがある。
【０００３】
なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【０００４】
パチンコ遊技機では、始動入賞口（始動領域）に遊技球が入賞したことにもとづいて可変表示装置において開始される特別図柄（識別情報）の可変表示の表示結果として、あらかじめ定められた特定の表示態様が導出表示された場合に、「大当り」が発生する。なお、導出表示とは、図柄を停止表示させることである（いわゆる再変動の前の停止を除く。）。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。なお、各開放について開放時間（例えば２９秒）が決められ、入賞数が所定個に達しなくても開放時間が経過すると大入賞口は閉成する。以下、各々の大入賞口の開放期間をラウンドということがある。
【０００５】
上記のように、入賞領域に遊技球が入賞すると、所定個の賞球が遊技者に払い出される。また、遊技球が始動領域に入賞すると、所定個の賞球が遊技者に払い出されるとともに、大当り遊技状態が発生する可能性がある識別情報の可変表示が開始される。パチンコ遊技機において使用される遊技球の材質は鋼である。よって、遊技者が磁石によって遊技球を入賞領域（始動領域を含む。）に誘導し、意図的に遊技価値を高める不正行為が行われることがある。
【０００６】
磁石を用いた不正行為を検知するために、磁石検出機能を有する遊技機が知られている（例えば、特許文献１参照）。特許文献１に記載された遊技機は、３軸方向の磁気を検出可能な磁気センサを複数使用したものであって、複数の磁気センサの出力によって磁気発生源を判定し、判定した磁気発生源が遊技機の表側における特定の範囲内にある場合、不正行為が行われたと判定している。
【先行技術文献】
【特許文献】
【０００７】
【特許文献１】特開２００９−２７９２４７号公報
【発明の概要】
【発明が解決しようとする課題】
【０００８】
特許文献１に記載の遊技機では、複数の磁気センサ（以下、本発明と同様「磁気検出器」と呼ぶ）を使用することで、不正を行うための磁石の位置（磁気発生源）を精度よく判定することが可能である。磁気検出器は、通常、遊技機の背面に設置することになるが、遊技機の背面には、遊技機を動作させる基板、配線、各種部品が設置されている事情から、磁気検出器の筐体の大きさにあった取り付け位置を選択することは困難である。特に、近年、機械的な動作を伴う演出が人気を集めており、演出のための部品も大型化しているため、遊技機背面における空きスペースも圧迫されたものとなっている。
【０００９】
一方で、磁気検出器は、遊技機の盤面の裏面に直接取り付けることで、外部の磁石を効果的に検出することが可能である。しかしながら、上述した遊技機の背面におけるスペース上の事情により、磁気検出器のための効果的な設置位置を確保することは困難な状況にある。
【００１０】
また、遊技機は、機種によって背面のレイアウトも異なるため、磁気検出器の取り付け位置も機種ごとに検討する必要がある。磁気検出器の筐体を、各機種の遊技盤裏面の状況に合わせてデザインすることも考えられるが、機種毎に磁気検出器の筐体をデザインし、製造することは、大幅なコスト増となることが予想される。また、使用サイクルの早い遊技機の分野では、部品をリサイクルすることが行われている。個別にデザインされた筐体を有する磁気検出器の場合、リサイクルすることができない、もしくは、筐体を新たな機種にあったものに変更する必要があるため、リサイクル自体にコストがかかるという問題が生じる。
【課題を解決するための手段】
【００１１】
そのため、本発明の第１の観点に係る遊技機（例えば、図１の遊技機１）は、
互いに直交する３軸方向（例えば、図９のｘ軸、ｙ軸、ｚ軸）の磁気を検出可能な磁気検出器（例えば、図９の磁気検出器１３０）を備え、
前記磁気検出器は、取り付け態様（例えば、図１１〜図１３に示す磁気検出器１３０の取り付け態様）に応じた、前記３軸の磁気検出方向の内の２軸を有効検出方向（例えば、図１１のｘ軸とｙ軸）とする第１の設定、もしくは、前記第１の設定と異なる組み合わせの２軸を有効検出方向（例えば、図１２のｘ軸とｚ軸）とする第２の設定に設定可能な設定手段（例えば、図１８の磁界検出部２３４）を備えることを特徴とする。
【００１２】
本発明の第１の観点に係る遊技機によれば、限られたスペース等、遊技機の背面の状況に合わせて磁気検出器の設置位置を柔軟に選択することが可能となる。そして、磁気検出器の取り付け態様に応じて有効検出方向を設定可能とすることで、磁気検出方向を対象装置に対して適正化し、検出精度の向上を図ることが可能となる。そして、背面のレイアウトが異なる複数の機種に対しても共通の磁気検出器を使用する、あるいは、遊技機のリサイクルを行う際、異なる機種に対して使用することが可能であり、コスト削減を図ることが可能となる。
【００１３】
さらに本発明の第２の観点に係る遊技機は、前記第１の観点に係る遊技機において、
前記設定手段は、前記第１の設定、もしくは、前記第２の設定に設定する選択信号（例えば、選択信号Ｓａ）を入力可能な入力部を有することを特徴とする。
【００１４】
本発明の第２の観点に係る遊技機によれば、磁気検出器の外部から選択信号を入力することで、設定を変更することが可能となる。したがって、回路や機械的スイッチにて選択信号を発生させるハード仕様、あるいは、プログラムの実行によって選択信号を発生させるソフト仕様、どちらの仕様にも対応することが可能である。
【００１５】
さらに本発明の第３の観点に係る遊技機は、前記第２の観点に係る遊技機において、
前記設定手段に対する選択信号は、前記遊技機を制御する制御手段（例えば、遊技制御用マイクロコンピュータ５６０）が搭載された主基板（例えば、主基板３１）から出力されることを特徴とする。
【００１６】
本発明の第３の観点に係る遊技機によれば、主基板から選択信号を出力することで、主基板が搭載された制御手段において、選択信号を形成することが可能となる。制御部では、遊技機の各種構成を統括して実行するため、例えば、遊技機の起動時（電源オンしたとき）に選択信号を出力することが可能であり、遊技機の起動に伴って磁気検出器を設定することが可能となる。
【００１７】
さらに本発明の第４の観点に係る遊技機は、前記第２の観点に係る遊技機において、
前記設定手段に対する選択信号は、前記磁気検出器の設定用の回路を有する設定基板（例えば、図２の設定基板６０）から出力されることを特徴とする。
【００１８】
本発明の第４の観点に係る遊技機によれば、このような形態では、主基板に搭載された制御手段の処理負担（プログラムの記憶容量、あるいは、実行に伴う処理負荷）を削減することが可能となる。
【００１９】
さらに本発明の第５の観点に係る遊技機は、前記第２または第３の観点に係る遊技機において、
前記設定手段は、選択信号の値の大きさ（例えば、図２１の選択テーブル中のＶ１ａ〜Ｖ１ｃ［Ｖ］）によって前記第１の設定、もしくは、前記第２の設定に設定することを特徴とする。
【００２０】
本発明の第５の観点に係る遊技機によれば、簡易な構成で第１の設定、もしくは、第２の設定に設定することが可能となる。また、判別する選択信号の値を３つとすることで、第１の設定、第２の設定とは異なる第３の設定に設定することも可能となる。
【００２１】
さらに本発明の第６の観点に係る遊技機は、前記第１の観点に係る遊技機において、
前記設定手段は、前記第１の設定、もしくは、前記第２の設定に切り替えるスイッチ（例えば、図２９の第１設定部１３３ａ）を有することを特徴とする。
【００２２】
本発明の第６の観点に係る遊技機によれば、スイッチの操作により設定を切り替えることを可能としている。スイッチを磁気検出器の筐体外部に設置した形態（例えば、図２９の形態）では、外部から設定状態を目視することで確認することが可能となる。また、スイッチを磁気検出器の筐体内部に設置した形態（例えば、図３０の形態）では、外部からスイッチを操作することを防ぎ、不正な設定変更の抑制を図ることが可能となる。
【００２３】
さらに本発明の第７の観点に係る遊技機は、前記第６の観点に係る遊技機において、
前記磁気検出器には、２軸の有効検出方向を示すマーカー（例えば、図３０の設置面マーカー１３７）が表記されていることを特徴とする。
【００２４】
本発明の第７の観点に係る遊技機によれば、スイッチを磁気検出器の筐体内部に設置した形態（例えば、図３０の形態）においても、マーカーの表示を目視することで、磁気検出器に設定された２軸の有効検出方向を筐体外部から確認することが可能となる。
【００２５】
さらに本発明の第８の観点に係る遊技機は、前記第１から第６の何れかの観点に係る遊技機において、
前記磁気検出器は、面積が異なる第１面（例えば、図９の第１取付面Ｓ１）と第２面（例えば、図９の第２取付面Ｓ２）を有し、
前記取り付け態様は、前記第１面を前記遊技機の裏面に対向させた状態（例えば、図１１の状態）、もしくは、前記第２面を前記遊技機の裏面に対向させた状態（例えば、図１２の状態）であることを特徴とする。
【００２６】
本発明の第８の観点に係る遊技機によれば、面積の異なる第１面、もしくは、第２面を遊技機の裏面に対向させることで、遊技機の裏面の状況に応じた取り付け態様を取ることが可能となる。
【００２７】
さらに本発明の第９の観点に係る遊技機は、前記第８の観点に係る遊技機において、
前記磁気検出器は、外部に信号線（例えば、図１１のケーブル１３６）を取り出すための信号線導出孔（例えば、図９のケーブル導出孔１３２）を有し、
前記取り付け態様によって、前記遊技機の裏面に対して前記信号線導出孔の向く方向が異なる（例えば、図１１と図１２の状態）ことを特徴とする。
【００２８】
本発明の第９の観点に係る遊技機によれば、遊技機の裏面に対して磁気検出器から導出される信号線の導出方向を異ならせることで、遊技機の裏面の状況に応じた取り付け態様を取ることが可能となる。
【００２９】
さらに本発明に係る磁気検出器は、
互いに直交する３軸方向の磁気を検出可能とし、対象装置（例えば、遊技機１）に取り付け可能な磁気検出器であって、
取り付け態様に応じた、前記３軸の磁気検出方向の内の２軸を有効検出方向とする第１の設定、もしくは、前記第１の設定と異なる組み合わせの２軸を有効検出方向とする第２の設定に設定可能な設定手段を備えることを特徴とする。
【００３０】
本発明に係る磁気検出器によれば、限られたスペース等、対象装置の状況に合わせて取り付け態様を柔軟に選択することが可能となる。そして、磁気検出器の取り付け態様に応じた有効検出方向を設定可能とすることで、磁気検出方向を対象装置に対して適正化し、磁気検出器における検出精度の向上を図ることが可能となる。そして、背面のレイアウトが異なる他の対象装置に対しても共通の磁気検出器を使用する、あるいは、対象装置のリサイクルを行う際、異なる対象装置に対して使用することが可能であり、コスト削減を図ることが可能となる。
【図面の簡単な説明】
【００３１】
【図１】遊技機を正面からみた正面図
【図２】主基板、及び、その周囲の制御構成例を示すブロック図
【図３】演出制御基板、及び、その周囲の制御構成例を示すブロック図
【図４】遊技制御用マイクロコンピュータが実行するメイン処理を示すフローチャート
【図５】タイマ割込処理を示すフローチャート
【図６】演出制御メイン処理を示すフローチャート
【図７】演出制御プロセス処理を示すフローチャート
【図８】不正検出処理を示すフローチャート
【図９】磁気検出器の外観を示す斜視図
【図１０】磁気検出器の外観を示す三面図（上面図、側面図）
【図１１】磁気検出器の取り付け形態（態様Ａ）を示す図
【図１２】磁気検出器の取り付け形態（態様Ｂ）を示す図
【図１３】磁気検出器の取り付け形態（態様Ｃ）を示す図
【図１４】磁気検出器の構成例を示すブロック図
【図１５】磁気検出器の実現例の構成例を示すブロック図
【図１６】磁気検出器の入出力端子の機能を説明するテーブル
【図１７】磁気検出器の磁気検出素子の制御構成例を示すブロック図
【図１８】制御部の制御構成例を示すブロック図
【図１９】基準磁界補正部の制御構成例を示すブロック図
【図２０】磁気検出器で実行する出力禁止処理を示すフローチャート
【図２１】選択テーブル、検出レンジテーブルを示す図
【図２２】磁気検出器による磁気変化の検出と各種信号の関係を示すタイムチャート
【図２３】磁気検出器による磁気変化の検出と各種信号の関係を示すタイムチャート
【図２４】磁気検出器による磁気変化の検出と各種信号の関係を示すタイムチャート
【図２５】他の実施形態に係る磁気検出器の制御構成を示す図
【図２６】他の実施形態に係る磁気検出器の制御構成を示す図
【図２７】他の実施形態に係る磁気検出器の制御構成を示す図
【図２８】磁気検出器による磁気変化の検出と各種信号の関係を示すタイムチャート
【図２９】他の実施形態の磁気検出器の外観を示す斜視図
【図３０】他の実施形態の磁気検出器の外観を示す斜視図
【発明を実施するための形態】
【００３２】
以下、本発明の実施の形態を、図面を参照して説明する。本実施形態では、遊技機１の一例としてパチンコ遊技機を例にとって説明を行うが、本発明の対象となる遊技機１としては、このようなパチンコ遊技機以外に、スロット遊技機等、各種遊技機を採用することが可能である。まず、遊技機１の全体の構成について説明する。図１は遊技機１を正面からみた正面図である。図１の右下に、遊技機１に関する座標系を定義しておく。遊技機１を正面からみたとき、左方向をＸ軸正の方向、上方向をＹ軸正の方向、手前から奥に貫く方向をＺ軸正の方向である。定義した座標系は、図１１〜図１３で説明する遊技機１の裏面構成で使用する座標系と同一である。
【００３３】
遊技機１は、縦長の方形状に形成された外枠（図示せず）と、外枠の内側に開閉可能に取り付けられた遊技枠とで構成される。また、遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【００３４】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル５（操作ノブ）が設けられている。また、ガラス扉枠２の背面には、遊技盤６が着脱可能に取り付けられている。なお、遊技盤６は、それを構成する板状体と、その板状体に取り付けられた種々の遊技用部品とを含む構造体である。また、遊技盤６の前面には、打ち込まれた遊技球が流下可能な遊技領域７が形成されている。
【００３５】
遊技領域７の中央付近には、液晶表示装置（ＬＣＤ）で構成された遊技用部品としての演出表示装置９が設けられている。演出表示装置９の表示画面には、特別図柄の可変表示に同期した飾り図柄の可変表示を行う飾り図柄表示領域がある。よって、演出表示装置９は、飾り図柄の可変表示を行う可変表示装置に相当する。飾り図柄表示領域には、例えば「左」、「中」、「右」の３つの装飾用（演出用）の識別情報を、例えば上から下に移動するように可変表示する。飾り図柄表示領域には「左」、「中」、「右」の各図柄表示エリア９Ｌ，９Ｃ，９Ｒ（図柄表示ライン）があるが、図柄表示エリア９Ｌ，９Ｃ，９Ｒの位置は、演出表示装置９の表示画面において固定的でなくてもよいし、図柄表示エリア９Ｌ，９Ｃ，９Ｒの３つ領域が離れてもよい。演出表示装置９は、演出制御基板８０に搭載されている演出制御用マイクロコンピュータ１００によって制御される。演出制御用マイクロコンピュータ１００が、特別図柄表示器８で特別図柄の可変表示が実行されているときに、その可変表示に伴って演出表示装置９で演出表示を実行させるので、遊技の進行状況を把握しやすくすることができる。
【００３６】
遊技盤６における下部の左側には、識別情報としての特別図柄を可変表示する特別図柄表示器８が設けられている。この実施の形態では、特別図柄表示器８は、０〜９の数字を可変表示可能な簡易で小型の表示器（例えば７セグメントＬＥＤ）で実現されている。すなわち、特別図柄表示器８は、０〜９の数字（または、記号）を可変表示するように構成されている。小型の表示器は、例えば方形状に形成されている。また、この実施の形態では、特別図柄表示器８は、例えば、００〜９９の数字（または、２桁の記号）を可変表示する等、各種表示形態を採用することが可能である。
【００３７】
演出表示装置９の下方には、第１始動入賞口１３（第１始動口）を有する入賞装置が設けられている。第１始動入賞口１３に入賞した遊技球は、遊技盤６の背面に導かれ、第１始動口スイッチ１３ａによって検出される。また、第１始動入賞口１３を有する入賞装置の下方には、遊技球が入賞可能な第２始動入賞口１４（第２始動口）を有する可変入賞球装置１５が設けられている。第２始動入賞口１４に入賞した遊技球は、遊技盤６の背面に導かれ、第２始動口スイッチ１４ａによって検出される。可変入賞球装置１５は、ソレノイド１６によって開放状態とされる。可変入賞球装置１５が開いた状態になることによって、遊技球が第２始動入賞口１４に入賞可能になり（始動入賞し易くなり）、遊技者にとって有利な状態になる。また、可変入賞球装置１５が閉じた状態では、遊技球は第２始動入賞口１４に入賞しない。なお、可変入賞球装置１５が閉状態になっている状態において、入賞はしづらいものの、入賞することは可能である（すなわち、遊技球が入賞しにくい）ように構成されていてもよい。
【００３８】
以下、第１始動入賞口１３と第２始動入賞口１４とを総称して始動入賞口または始動口ということがある。可変入賞球装置１５が開放状態に制御されているときには可変入賞球装置１５に向かう遊技球は第２始動入賞口１４に極めて入賞しやすい。なお、この実施の形態では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００３９】
特別図柄表示器８の側方には、始動入賞口に入った有効入賞球数すなわち保留記憶数（保留記憶を、始動記憶または始動入賞記憶ともいう。）を表示する４つの表示器からなる特別図柄保留記憶表示器１８が設けられている。遊技球が第１始動入賞口１３または第２始動入賞口１４に入り、第１始動口スイッチ１３ａまたは第２始動口スイッチ１４ａで検出されると、保留記憶数が上限値に達していないことを条件として（有効始動入賞であることを条件として）、保留記憶数を１増やす。また、特別図柄保留記憶表示器１８において点灯する表示器の数を１増やす。そして、特別図柄の可変表示を開始できる状態であれば（例えば、特別図柄の可変表示が終了し、開始条件が成立したこと）、特別図柄表示器８において特別図柄の可変表示が開始される。すなわち、特別図柄の可変表示は、始動入賞口への入賞に対応する。なお、特別図柄表示器８での可変表示が開始される毎に、特別図柄保留記憶表示器１８において点灯する表示器の数を１減らす。
【００４０】
また、演出表示装置９の表示画面には、保留記憶数を表示する領域（以下、保留記憶表示部１８ｃという。）が設けられている。
【００４１】
特別図柄の可変表示は、可変表示の実行条件である始動条件が成立（例えば、遊技球が第１始動入賞口１３または第２始動入賞口１４に入賞したこと）した後、可変表示の開始条件（例えば、保留記憶数が０でない場合であって、特別図柄の可変表示が実行されていない状態であり、かつ、大当り遊技が実行されていない状態）が成立したことに基づいて開始され、可変表示時間が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示（確定）させることである。
【００４２】
特別図柄表示器８において、特別図柄の可変表示が開始された後、所定時間（変動時間）が経過すると、特別図柄の可変表示結果である停止図柄を停止表示（導出表示）する。大当りにすることに決定されている場合には、特定の特別図柄（大当り図柄）が停止表示される。はずれにすることに決定されている場合には、大当り図柄以外の特別図柄が停止表示される。大当り図柄が導出表示された場合には、遊技状態が、特定遊技状態としての大当り遊技状態に制御される。この実施の形態では、一例として、「３」、「７」を示す数字を大当り図柄とし、「−」を示す記号をはずれ図柄にする。
【００４３】
特別図柄表示器８に大当り図柄が停止表示された場合には、特別可変入賞球装置２０における開閉板が、所定期間（例えば、２９秒間）または所定個（例えば、１０個）の入賞球が発生するまでの期間、開放状態になって、特別可変入賞球装置２０を遊技者にとって有利な第１状態に変化させるラウンドが開始される。ラウンドの回数は、例えば１５である。
【００４４】
また、大当り遊技状態が終了した後、遊技状態が時短状態に制御される。時短状態では、通常状態（確変状態や時短状態ではない状態）に比べて特別図柄の可変表示における特別図柄の変動時間が短縮される。時短状態は、例えば、所定回数（例えば、１００回）の特別図柄の可変表示が実行されることと、可変表示結果が「大当り」となることのうち、いずれかの条件が先に成立したときに終了する。なお、大当り状態が終了した後に、時短状態にせずに通常状態になるようにしてもよい。
【００４５】
遊技状態を確変状態に制御することに決定されている場合には、大当り遊技状態が終了した後、遊技状態が確変状態に制御される。確変状態は、例えば、次に可変表示結果として大当り図柄が導出表示されるまで継続する。遊技状態を大当り遊技状態に制御することに決定されている場合に導出表示される特別図柄の停止図柄を、大当り図柄という。そして、遊技状態を大当り状態に制御しないことに決定されている場合に導出表示される特別図柄の停止図柄を、はずれ図柄という。
【００４６】
また、確変状態では、低確率状態（通常状態）に比べて、大当りに決定される確率が高くなっている。例えば、１０倍になっている。具体的には、確変状態では、大当り判定用乱数の値と一致すると大当りにすることに決定される判定値の数が、通常状態に比べて１０倍になっている。また、普通図柄表示器１０の停止図柄が当り図柄になる確率が高められている。すなわち、第２始動入賞口１４が開放しやすくなって、始動入賞が生じやすくなっている。具体的には、確変状態は、普通図柄当り判定用乱数の値と一致すると当りにすることに決定される判定値の数が、通常状態に比べて多い。また、普通図柄表示器１０の停止図柄が当り図柄になる確率を高めることに加えて、可変入賞球装置１５の開放回数または開放時間を多くしたり、可変入賞球装置１５の開放回数および開放時間を多くしたりしてもよい。また、時短状態でも、普通図柄表示器１０の停止図柄が当り図柄になる確率を高めたり、可変入賞球装置１５の開放回数または開放時間を多くしたり、可変入賞球装置１５の開放回数および開放時間を多くしたりしてもよい。
【００４７】
演出表示装置９は、特別図柄表示器８による特別図柄の可変表示時間中に、装飾用（演出用）の図柄としての飾り図柄の可変表示を行う。特別図柄表示器８における特別図柄の可変表示と、演出表示装置９における飾り図柄の可変表示とは同期している。同期とは、可変表示の開始時点および終了時点が同じであって、可変表示の期間が同じであることをいう。特別図柄表示器８において大当り図柄が停止表示されるときと、演出表示装置９において大当りを想起させるような飾り図柄の組み合わせが停止表示される。
【００４８】
演出表示装置９の表示領域では、開始条件が成立したことにもとづいて、「左」、「中」、「右」の各図柄表示エリアにおいて飾り図柄の変動が開始され、例えば、「左」→「右」→「中」の順序で飾り図柄の停止図柄が停止表示（導出表示）される。
【００４９】
飾り図柄の可変表示が開始されてから「左」、「中」、「右」の各図柄表示エリアにおいて停止図柄が導出表示されるまでの期間（可変表示期間＝変動時間）で、飾り図柄の可変表示状態が所定のリーチ状態となることがある。リーチ状態は、演出表示装置９の表示領域において停止表示された飾り図柄が大当り組み合わせの一部を構成しているときに未だ停止表示されていない飾り図柄の変動が継続している表示状態、または、全部もしくは一部の飾り図柄が大当り組み合わせの全部または一部を構成しながら同期して変動している表示状態である。リーチ状態における表示演出が、リーチ演出表示（リーチ演出）である。
【００５０】
また、図１に示すように、可変入賞球装置１５の下方には、特別可変入賞球装置２０が設けられている。特別可変入賞球装置２０は開閉板を備え、特別図柄表示器８に特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００５１】
遊技領域７には、遊技球の入賞にもとづいてあらかじめ決められている所定数の景品遊技球の払出を行うための入賞口（普通入賞口）２９、３０、３３、３９も設けられている。入賞口２９、３０、３３、３９に入賞した遊技球は、入賞口スイッチ２９ａ、３０ａ、３３ａ、３９ａで検出される。
【００５２】
遊技盤６の右側方には、普通図柄表示器１０が設けられている。普通図柄表示器１０は、普通図柄と呼ばれる複数種類の識別情報（例えば、「○」および「×」）を可変表示する。遊技球がゲート３２を通過しゲートスイッチ３２ａで検出されると、普通図柄表示器１０の表示の可変表示が開始される。この実施の形態では、上下のランプ（点灯時に図柄が視認可能になる）が交互に点灯することによって可変表示が行われ、例えば、可変表示の終了時に下側のランプが点灯すれば当りとなる。そして、普通図柄表示器１０における停止図柄が所定の図柄（当り図柄）である場合に、可変入賞球装置１５が所定回数、所定時間だけ開放状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。
【００５３】
普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の可変表示が開始される毎に、点灯するＬＥＤを１減らす。さらに、通常状態に比べて大当りとすることに決定される確率が高い状態である確変状態では、普通図柄表示器１０における停止図柄が当り図柄になる確率が高められるとともに、可変入賞球装置１５の開放時間と開放回数が高められる。また、確変状態ではないが図柄の変動時間が短縮されている時短状態（特別図柄の可変表示時間が短縮される遊技状態）でも、可変入賞球装置１５の開放時間と開放回数が高められる。
【００５４】
遊技盤６の遊技領域７の左右周辺には、遊技中に点滅表示される装飾ＬＥＤ２５（ランプでもよい。）が設けられ、下部には、入賞しなかった打球が取り込まれるアウト口２６がある。また、遊技領域７の外側の左右上部には、所定の音声出力として効果音や音声を発声する２つのスピーカ２７が設けられている。遊技領域７の外周には、前面枠に設けられた枠ＬＥＤ（ランプでもよい。）２８が設けられている。
【００５５】
遊技機１には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３または第２始動入賞口１４に入り、第１始動口スイッチ１３ａまたは第２始動口スイッチ１４ａで検出された後、特別図柄の可変表示を開始できる状態であれば、特別図柄表示器８において特別図柄の可変表示が開始されるとともに、演出表示装置９において飾り図柄の可変表示が開始される。
【００５６】
図２は、主基板３１（遊技制御基板）における回路構成の一例を示すブロック図である。なお、図２は、払出制御基板３７および演出制御基板８０等、主基板３１の周囲構成も含めて示されている。主基板３１には、プログラムに従って遊技機１を制御する遊技制御用マイクロコンピュータ５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は１チップマイクロコンピュータとして構成されている。なお、１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は外付けであってもよい。遊技制御用マイクロコンピュータ５６０には、さらに、ハードウェア乱数（ハードウェア回路が発生する乱数）を発生する乱数回路５０３が内蔵されている。
【００５７】
ＲＡＭ５５は、その一部または全部が電源基板（図示せず）において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグなど）と未払出賞球数を示すデータはＲＡＭ５５に保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００５８】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００５９】
乱数回路５０３は、特別図柄の可変表示の表示結果により大当りとするか否か判定するための判定用の乱数を発生するために用いられるハードウェア回路である。乱数回路５０３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００６０】
また、ゲートスイッチ３２ａ、第１始動口スイッチ１３ａ、第２始動口スイッチ１４ａ、カウントスイッチ２３、入賞口スイッチ２９ａ、３０ａ、３３ａ、３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。
【００６１】
また、遊技制御用マイクロコンピュータ５６０は、特別図柄を可変表示（変動表示）する特別図柄表示器８、普通図柄を可変表示する普通図柄表示器１０、特別図柄保留記憶表示器１８および普通図柄保留記憶表示器４１の表示制御を行う。
【００６２】
本実施形態では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、飾り図柄を可変表示する演出表示装置９の表示制御を行う。
【００６３】
また、演出制御基板８０に搭載されている演出制御手段が、ランプドライバ基板３５を介して、遊技盤に設けられている装飾ＬＥＤ２５や枠側に設けられている枠ＬＥＤ２８等の表示制御を行うとともに、音声出力基板７０を介してスピーカ２７からの音出力の制御を行う。
【００６４】
また、主基板３１には、ホール管理コンピュータと通信可能な通信部４２が接続されている。通信部４２は、ホール管理コンピュータと通信接続され、大当り遊技状態等、各種遊技状態を示す情報を通信部４２を介してホール管理コンピュータに送信することが可能である。また、通信部４２は、磁気検出器１３０により、磁石を使用した不正検出が判定された場合にも、不正を示す情報をホール管理コンピュータに送信する。
【００６５】
また、主基板３１には、設定基板６０を介して磁気検出器１３０が接続されている。本実施形態の設定基板６０は、破線で示すように、磁気検出器３０と主基板３１間の信号はスルー状態であり、設定基板６０は、磁気検出器３０と主基板３１間の信号に対して関与しない。したがって、磁気検出器３０と主基板３１間は、設定基板６０を介在させず、直接、接続することも可能である。磁気検出器１３０は、遊技機１の外部における磁石を用いた不正操作を検出するためのセンサであって、不正操作による外部磁界を検出した場合、遊技制御用マイクロコンピュータ５６０にエラー信号を出力する。遊技制御用マイクロコンピュータ５６０は、エラー信号を受信した場合、演出表示装置９、スピーカ２７、通信部４２を使用してホールスタッフ等の管理者に対し、遊技機１に異常があったことを報知する異常報知処理を実行する。
【００６６】
本実施形態では、磁気検出器１３０には、磁気検出器１３０の有効検出方向と、磁気検出レンジ（磁気検出範囲）を設定するための設定基板６０が接続されている。設定基板６０は、遊技機１の電源から供給される電源電圧に基づいて磁気検出器１３０に対応する信号（選択信号Ｓａ、レンジ設定信号Ｓｂ）を出力する。設定基板６０は、電源電圧を磁気検出器１３０の設定に応じた信号に変換して出力する回路を有して構成されている。主基板３１ではＲＯＭ５４やＲＡＭ５５の容量に制限が設けられるため、主基板３１が磁気検出器１３０の各種設定を実行することは困難な状況にある。本実施形態では、磁気検出器１３０の各種設定を設定基板６０で行うことで、遊技制御用マイクロコンピュータ５６０における処理負担を削減することが可能となっている。
【００６７】
本実施形態では、設定基板６０の回路構成（ハード構成）によって磁気検出器１３０の設定を可能とするため、プログラムを記憶する等の構成（ソフト構成）を必要することなく、磁気検出器１３０をケーブルを介して設定基板６０に接続するという簡単な構成で磁気検出器１３０に対する設定を実現している。なお、本実施形態では、１つの磁気検出器１３０を設けた構成となっているが、複数の磁気検出器１３０を使用する場合には、設定基板６０から各磁気検出器１３０に応じた複数の設定信号を出力することで、各磁気検出器１３０の各種設定を実現することが可能である。
【００６８】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。演出制御基板８０のみを設けた場合には、図３に示すランプドライバ基板３５および音声出力基板７０に搭載されている回路等も、演出制御基板８０に搭載される。
【００６９】
演出制御基板８０は、演出制御用ＣＰＵ１０１、および演出制御プロセスフラグ等の演出に関する情報を記憶するＲＡＭを含む演出制御用マイクロコンピュータ１００を搭載している。なお、ＲＡＭは外付けであってもよい。本実施形態では、演出制御用マイクロコンピュータ１００におけるＲＡＭは電源バックアップされていない。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドにもとづいて、ＶＤＰ（ビデオディスプレイプロセッサ）１０９に演出表示装置９の表示制御を行わせる。
【００７０】
本実施形態では、演出制御用マイクロコンピュータ１００と共動して演出表示装置９の表示制御を行うＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、画像データを展開するためのバッファメモリである。そして、ＶＤＰ１０９は、ＶＲＡＭ内の画像データをフレームメモリを介して演出表示装置９に出力する。
【００７１】
演出制御用ＣＰＵ１０１は、受信した演出制御コマンドに従ってＣＧＲＯＭ（図示せず）から必要なデータを読み出すための指令をＶＤＰ１０９に出力する。ＣＧＲＯＭは、演出表示装置９に表示されるキャラクタ画像データや動画像データ、具体的には、人物、文字、図形や記号等（飾り図柄を含む）、および背景画像のデータをあらかじめ格納しておくためのＲＯＭである。ＶＤＰ１０９は、演出制御用ＣＰＵ１０１の指令に応じて、ＣＧＲＯＭから画像データを読み出す。そして、ＶＤＰ１０９は、読み出した画像データにもとづいて表示制御を実行する。
【００７２】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。なお、図３に示す出力ポート５７１は、図２に示されたＩ／Ｏポート部５７の一部である。
【００７３】
さらに、演出制御用ＣＰＵ１０１は、出力ポート１０５を介してランプドライバ基板３５に対してＬＥＤを駆動する信号を出力する。また、演出制御用ＣＰＵ１０１は、出力ポート１０４を介して音声出力基板７０に対して音番号データを出力する。
【００７４】
ランプドライバ基板３５において、ＬＥＤを駆動する信号は、入力ドライバ３５１を介してＬＥＤドライバ３５２に入力される。ＬＥＤドライバ３５２は、ＬＥＤを駆動する信号にもとづいて枠ＬＥＤ２８などの枠側に設けられている発光体に電流を供給する。また、遊技盤側に設けられている装飾ＬＥＤ２５に電流を供給する。
【００７５】
音声出力基板７０において、音番号データは、入力ドライバ７０２を介して音声合成用ＩＣ７０３に入力される。音声合成用ＩＣ７０３は、音番号データに応じた音声や効果音を発生し、増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（例えば飾り図柄の変動期間）における効果音または音声の出力態様を時系列的に示すデータの集まりである。
【００７６】
例えば、音番号データに応じた制御データとして、所定の期間内の効果音（音声および楽曲を含む。）のディジタルデータが音声データＲＯＭ７０４に格納されている。ディジタルデータとして、例えばＰＣＭデータが使用される。その場合には、１秒間の効果音が８ビット×８ｋ（８０００）＝６４ｋビットで表される。なお、ここでは、ＰＣＭデータを用いる場合を例にするが、ＡＤＰＣＭデータ等の他の形式のデジタル音声データを用いてもよい。
【００７７】
次に、遊技機の動作について説明する。図４は、主基板３１における遊技制御用マイクロコンピュータ５６０が実行するメイン処理を示すフローチャートである。遊技機１に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、ステップＳ１以降のメイン処理を開始する。メイン処理において、ＣＰＵ５６は、まず、必要な初期設定を行う。
【００７８】
初期設定処理において、ＣＰＵ５６は、まず、割込禁止に設定する（ステップＳ１）。次に、割込モードを第２モードに設定し（ステップＳ２）、スタックポインタにスタックポインタ指定アドレスを設定する（ステップＳ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（ステップＳ４）、ＲＡＭ５５をアクセス可能状態に設定する（ステップＳ５）。なお、第２モードとは、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【００７９】
次いで、ＣＰＵ５６は、入力ポートを介して入力されるクリアスイッチ（例えば、電源基板に搭載されている。）の出力信号の状態を確認する（ステップＳ６）。その確認においてオンを検出した場合（ステップＳ６：Ｙ）には、ＣＰＵ５６は、通常の初期化処理を実行する（ステップＳ１０〜Ｓ１３）。
【００８０】
クリアスイッチがオンの状態でない場合（ステップＳ６：Ｎ）には、遊技機１への電力供給が停止したときにバックアップＲＡＭ領域のデータ保護処理（例えばパリティデータの付加等の電力供給停止時処理）が行われたか否か確認する（ステップＳ７）。そのような保護処理が行われていないことを確認したら（ステップＳ７：Ｎ）、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００８１】
電力供給停止時処理が行われたことを確認したら（ステップＳ７：Ｙ）、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合（ステップＳ８：Ｎ）には、内部状態を電力供給停止時の状態に戻すことができないので、電力供給の停止からの復旧時でない電源投入時に実行される初期化処理を実行する。
【００８２】
チェック結果が正常（ステップＳ８：Ｙ）であれば、ＣＰＵ５６は、遊技制御手段の内部状態と演出制御手段等の電気部品制御手段の制御状態を電力供給停止時の状態に戻すための遊技状態復旧処理（ステップＳ４１〜Ｓ４３の処理）を行う。具体的には、ＲＯＭ５４に格納されているバックアップ時設定テーブルの先頭アドレスをポインタに設定し（ステップＳ４１）、バックアップ時設定テーブルの内容を順次作業領域（ＲＡＭ５５内の領域）に設定する（ステップＳ４２）。作業領域はバックアップ電源によって電源バックアップされている。バックアップ時設定テーブルには、作業領域のうち初期化してもよい領域についての初期化データが設定されている。ステップＳ４１およびＳ４２の処理によって、作業領域のうち初期化してはならない部分については、保存されていた内容がそのまま残る。初期化してはならない部分とは、例えば、電力供給停止前の遊技状態を示すデータ（特別図柄プロセスフラグ、確変フラグ、時短フラグなど）、出力ポートの出力状態が保存されている領域（出力ポートバッファ）、未払出賞球数を示すデータが設定されている部分などである。また、ＣＰＵ５６は、電力供給復旧時の初期化コマンドとしての停電復旧指定コマンドを演出制御基板８０に送信する（ステップＳ４３）。そして、ステップＳ４７に移行する。
【００８３】
初期化処理（ステップＳ１０〜Ｓ１３）では、ＣＰＵ５６は、まず、ＲＡＭクリア処理を行う（ステップＳ１０）。なお、ＲＡＭクリア処理によって、所定のデータ（例えば大当り判定用乱数を生成するためのカウンタのカウント値のデータ）は０に初期化されるが、任意の値またはあらかじめ決められている値に初期化するようにしてもよい。また、ＲＡＭ５５の全領域を初期化せず、所定のデータ（例えば大当り判定用乱数を生成するためのカウンタのカウント値のデータ）をそのままにしてもよい。また、ＲＯＭ５４に格納されている初期化時設定テーブルの先頭アドレスをポインタに設定し（ステップＳ１１）、初期化時設定テーブルの内容を順次ＲＡＭ５５における作業領域に設定する（ステップＳ１２）。ステップＳ１１およびステップＳ１２の処理によって、特別図柄プロセスフラグなど制御状態に応じて選択的に処理を行うためのフラグに初期値が設定される。
【００８４】
そして、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）を演出制御基板８０に送信する（ステップＳ１３）。例えば、演出制御基板８０に搭載されている演出制御用マイクロコンピュータ１００は、初期化指定コマンドを受信すると、演出表示装置９において、遊技機の制御の初期化がなされたことを報知するための画面表示、すなわち初期化報知を行う。なお、初期化処理において、ＣＰＵ５６は、客待ちデモンストレーション指定（デモ指定）コマンドも送信する。
【００８５】
そして、ＣＰＵ５６は、乱数回路５０３を初期設定する乱数回路設定処理を実行する（ステップＳ４７）。ＣＰＵ５６は、例えば、乱数回路設定プログラムに従って処理を実行することによって、乱数回路５０３にランダムＲの値を更新させるための設定を行う。
【００８６】
そして、ＣＰＵ５６は、所定時間（例えば２ｍｓ）毎に定期的にタイマ割込がかかるように遊技制御用マイクロコンピュータ５６０に内蔵されているＣＴＣのレジスタの設定を行なう（ステップＳ４８）。すなわち、初期値として例えば２ｍｓに相当する値が所定のレジスタ（時間定数レジスタ）に設定される。この実施の形態では、２ｍｓ毎に定期的にタイマ割込がかかるとする。
【００８７】
ＣＰＵ５６は、メイン処理で、表示用乱数更新処理（ステップＳ５０）および初期値用乱数更新処理（ステップＳ５１）を繰り返し実行する。表示用乱数更新処理および初期値用乱数更新処理を実行するときには割込禁止状態に設定し（ステップＳ４９）、表示用乱数更新処理および初期値用乱数更新処理の実行が終了すると割込許可状態に設定する（ステップＳ５２）。
【００８８】
この実施の形態では、表示用乱数とは、変動パターン等を決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄の当りとするか否か決定するための乱数を発生するためのカウンタ（普通図柄当り判定用乱数発生カウンタ）等のカウント値の初期値を決定するための乱数である。後述する遊技の進行を制御する遊技制御処理（遊技制御用マイクロコンピュータ５６０が、遊技機１に設けられている可変表示装置、可変入賞球装置、球払出装置等の遊技用の装置を、自身で制御する処理、または他のマイクロコンピュータに制御させるために指令信号を送信する処理、遊技装置制御処理ともいう）において、大当り判定用乱数発生カウンタ等のカウント値が１周（乱数の取りうる値の最小値から最大値までの間の数値の個数分歩進したこと）すると、そのカウンタに初期値が設定される。
【００８９】
タイマ割込が発生すると、ＣＰＵ５６は、図５に示すステップＳ２０〜ステップＳ３５のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａ、カウントスイッチ２３、および入賞口スイッチ２９ａ，３０ａ，３３ａ，３９ａの検出信号を入力し、それらの状態判定を行う（スイッチ処理：ステップＳ２１）。
【００９０】
次に、ＣＰＵ５６は、特別図柄表示器８、普通図柄表示器１０、特別図柄保留記憶表示器１８、普通図柄保留記憶表示器４１の表示制御を行う表示制御処理を実行する（ステップＳ２２）。特別図柄表示器８および普通図柄表示器１０については、ステップＳ３２、ステップＳ３３で設定される出力バッファの内容に応じて各表示器に対して駆動信号を出力する制御を実行する。
【００９１】
また、遊技制御に用いられる普通当り図柄決定用の乱数等の各判定用乱数を生成するための各カウンタのカウント値を更新する処理を行う（判定用乱数更新処理：ステップＳ２３）。ＣＰＵ５６は、さらに、初期値用乱数および表示用乱数を生成するためのカウンタのカウント値を更新する処理を行う（初期値用乱数更新処理，表示用乱数更新処理：ステップＳ２４、Ｓ２５）。
【００９２】
なお、この実施の形態では、大当り判定用乱数（ランダムＲ）は遊技制御用マイクロコンピュータ５６０に内蔵されたハードウェアが生成する乱数であるが、大当り判定用乱数として、遊技制御用マイクロコンピュータ５６０によってプログラムに基づいて生成されるソフトウェア乱数を用いてもよい。
【００９３】
さらに、ＣＰＵ５６は、特別図柄プロセス処理を行う（ステップＳ２６）。特別図柄プロセス処理では、特別図柄表示器８および大入賞口を所定の順序で制御するための特別図柄プロセスフラグに従って該当する処理を実行する。ＣＰＵ５６は、特別図柄プロセスフラグの値を、遊技状態に応じて更新する。
【００９４】
次いで、普通図柄プロセス処理を行う（ステップＳ２７）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【００９５】
また、ＣＰＵ５６は、演出制御用マイクロコンピュータ１００に演出制御コマンドを送出する処理を行う（演出制御コマンド制御処理：ステップＳ２８）。
【００９６】
さらに、ＣＰＵ５６は、ホール管理用コンピュータに供給される大当り情報、始動情報、確率変動情報等のデータを出力する情報出力処理を行う（ステップＳ２９）。
【００９７】
また、ＣＰＵ５６は、第１始動口スイッチ１３ａ、第２始動口スイッチ１４ａ、カウントスイッチ２３および入賞口スイッチ２９ａ、３０ａ、３３ａ、３９ａの検出信号にもとづく賞球個数の設定などを行う賞球処理を実行する（ステップＳ３０）。具体的には、第１始動口スイッチ１３ａ、第２始動口スイッチ１４ａ、カウントスイッチ２３および入賞口スイッチ２９ａ、３０ａ、３３ａ、３９ａのいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【００９８】
この実施形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（ステップＳ３１：出力処理）。
【００９９】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う（ステップＳ３２）。ＣＰＵ５６は、例えば、特別図柄プロセス処理でセットされる開始フラグがセットされると終了フラグがセットされるまで、変動速度が１コマ／０．２秒であれば、０．２秒が経過する毎に、出力バッファに設定される表示制御データの値を＋１加算する。また、ＣＰＵ５６は、出力バッファに設定された表示制御データに応じて、ステップＳ２２において駆動信号を出力することによって、特別図柄表示器８における特別図柄の可変表示を実行する。
【０１００】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３３）。ＣＰＵ５６は、例えば、普通図柄の変動に関する開始フラグがセットされると終了フラグがセットされるまで、普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、ステップＳ２２において駆動信号を出力することによって、普通図柄表示器１０における普通図柄の演出表示を実行する。
【０１０１】
また、遊技制御用マイクロコンピュータ５６０は、ステップＳ３４の不正検出処理において、磁気検出器１３０からのエラー信号が異常状態（磁石を検出した状態）を示しているか否か確認し、エラー信号が異常状態を示していた場合、演出表示装置９、スピーカ２７、通信部４２等を使用して、ホールスタッフ等の管理者に対して異常を通知する異常報知処理を実行する。本実施形態では、この異常報知処理を遊技制御用マイクロコンピュータ５６０で実行することとしているが、異常報知処理は、演出制御用マイクロコンピュータ１００等、遊技制御用マイクロコンピュータ５６０以外の構成を使用して実行することとしてもよい。一連の処理を実行した後、割込許可状態に設定し（ステップＳ３５）、タイマ割込処理を終了する。
【０１０２】
この実施形態では、遊技制御処理は２ｍｓ毎に起動されることになる。なお、遊技制御処理は、タイマ割込処理におけるステップＳ２１〜Ｓ３４（ステップＳ２９を除く。）の処理に相当する。また、この実施の形態では、タイマ割込処理で遊技制御処理を実行しているが、タイマ割込処理では例えば割込が発生したことを示すフラグのセットのみがなされ、遊技制御処理はメイン処理において実行されるようにしてもよい。
【０１０３】
次に、演出制御手段の動作を説明する。図６は、演出制御基板８０に搭載されている演出制御手段としての演出制御用マイクロコンピュータ１００（具体的には、演出制御用ＣＰＵ１０１）が実行するメイン処理を示すフローチャートである。演出制御用ＣＰＵ１０１は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う（ステップＳ７０１）。その後、演出制御用ＣＰＵ１０１は、所定の乱数を生成するためのカウンタのカウンタ値を更新する乱数更新処理を実行する（ステップＳ７０２）。そして、タイマ割込フラグの監視（ステップＳ７０３）を行う。タイマ割込フラグがセットされていない場合（ステップＳ７０３：Ｎ）には、ステップＳ７０２に移行する。なお、タイマ割込が発生すると、演出制御用ＣＰＵ１０１は、タイマ割込処理においてタイマ割込フラグをセットする。タイマ割込フラグがセットされていたら（ステップＳ７０３：Ｙ）、演出制御用ＣＰＵ１０１は、そのフラグをクリアし（ステップＳ７０４）、ステップＳ７０５〜Ｓ７０６の演出制御処理を実行する。
【０１０４】
演出制御処理において、演出制御用ＣＰＵ１０１は、まず、受信した演出制御コマンドを解析し、受信した演出制御コマンドに応じたフラグをセットする処理等を行う（コマンド解析処理：ステップＳ７０５）。次いで、演出制御用ＣＰＵ１０１は、演出制御プロセス処理を行う（ステップＳ７０６）。演出制御プロセス処理では、制御状態に応じた各プロセスのうち、現在の制御状態（演出制御プロセスフラグ）に対応した処理を選択して演出表示装置９の表示制御を実行する。
【０１０５】
図７は、図６に示されたメイン処理における演出制御プロセス処理（ステップＳ７０６）を示すフローチャートである。演出制御用ＣＰＵ１０１は、演出制御プロセス処理では、演出制御プロセスフラグの値に応じてステップＳ８００〜Ｓ８０７のうちのいずれかの処理を行う。各処理において、以下のような処理が実行される。
【０１０６】
変動パターンコマンド受信待ち処理（ステップＳ８００）：演出制御プロセスフラグの値が変動パターンコマンド受信待ち処理（ステップＳ８００）に対応した値である場合に実行される。変動パターンコマンド受信待ち処理では、遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信している場合には、そして、演出制御プロセスフラグの値を飾り図柄変動開始処理（ステップＳ８０１）に対応した値に更新する。
【０１０７】
飾り図柄変動開始処理（ステップＳ８０１）：演出制御プロセスフラグの値が飾り図柄変動開始処理（ステップＳ８０１）に対応した値である場合に実行される。飾り図柄変動開始処理では、飾り図柄および飾り図柄の変動が開始されるように制御する。そして、演出制御プロセスフラグの値を飾り図柄変動中処理（ステップＳ８０２）に対応した値に更新する。
【０１０８】
飾り図柄変動中処理（ステップＳ８０２）：演出制御プロセスフラグの値が飾り図柄変動中処理（ステップＳ８０２）に対応した値である場合に実行される。飾り図柄変動中処理では、変動パターンを構成する各変動状態（変動速度）の切り替えタイミング等を制御するとともに、変動時間の終了を監視する。そして、変動時間が終了したら、演出制御プロセスフラグの値を飾り図柄変動停止処理（ステップＳ８０３）に対応した値に更新する。
【０１０９】
飾り図柄変動停止処理（ステップＳ８０３）：演出制御プロセスフラグの値が飾り図柄変動停止処理（ステップＳ８０３）に対応した値である場合に実行される。飾り図柄変動停止処理では、全図柄停止を指示する演出制御コマンド（図柄確定指定コマンド）を受信したことにもとづいて、飾り図柄（および飾り図柄）の変動を停止し表示結果（停止図柄）を導出表示する制御を行う。そして、演出制御プロセスフラグの値を大当り表示処理（ステップＳ８０４）または変動パターンコマンド受信待ち処理（ステップＳ８００）に対応した値に更新する。
【０１１０】
大当り表示処理（ステップＳ８０４）：演出制御プロセスフラグの値が大当り表示処理（ステップＳ８０４）に対応した値である場合に実行される。大当り表示処理では、変動時間の終了後、演出表示装置９に大当りの発生を報知するための画面を表示する制御を行う。そして、演出制御プロセスフラグの値をラウンド中処理（ステップＳ８０５）に対応した値に更新する。
【０１１１】
ラウンド中処理（ステップＳ８０５）：演出制御プロセスフラグの値がラウンド中処理（ステップＳ８０５）に対応した値である場合に実行される。ラウンド中処理では、ラウンド中の表示制御を行う。そして、ラウンド終了条件が成立したら、最終ラウンドが終了していなければ、演出制御プロセスフラグの値をラウンド後処理（ステップＳ８０６）に対応した値に更新する。最終ラウンドが終了している場合には、演出制御プロセスフラグの値を大当り終了演出処理（ステップＳ８０７）に対応した値に更新する。
【０１１２】
ラウンド後処理（ステップＳ８０６）：演出制御プロセスフラグの値がラウンド後処理（ステップＳ８０６）に対応した値である場合に実行される。ラウンド後処理では、ラウンド間の表示制御を行う。そして、ラウンド開始条件が成立したら、演出制御プロセスフラグの値をラウンド中処理（ステップＳ８０５）に対応した値に更新する。
【０１１３】
大当り終了演出処理（ステップＳ８０７）：演出制御プロセスフラグの値が大当り終了演出処理（ステップＳ８０７）に対応した値である場合に実行される。大当り終了演出処理では、演出表示装置９において、大当り遊技状態が終了したことを遊技者に報知する表示制御を行う。そして、演出制御プロセスフラグの値を変動パターンコマンド受信待ち処理（ステップＳ８００）に対応した値に更新する。
【０１１４】
図８は、主基板３１にて実行する不正検出処理（図５のステップＳ３４）の詳細を示すフローチャートである。本実施形態の不正検出処理は、遊技制御用マイクロコンピュータ５６０にて実行する処理であり、遊技制御用マイクロコンピュータ５６０は、異常報知処理（ステップＳ９０４〜Ｓ９０７）を実行中であるか否かを確認する（ステップＳ９０１）。この異常報知処理が実行中か否かの確認は、具体的には、異常報知中フラグがセットされているか否かに基づいて行われる。異常報知処理を既に検出中である場合（ステップＳ９０１：Ｙ）には不正検出処理を抜ける。
【０１１５】
一方、異常報知処理を実行していない場合（ステップＳ９０１：Ｎ）には、ソレノイドが駆動開始されたか否かを確認する（ステップＳ９０２）。本実施形態の遊技機１には、２つのソレノイド１６、２１が搭載されているが、ステップＳ９０１、ステップＳ９０２で判定の対象となるソレノイドは、その駆動によって発生する磁気が、磁気検出器１３０に影響を及ぼすソレノイドである。ここでは１つのソレノイドが、磁気検出器１３０に影響を及ぼす場合を想定している。判定対象となるソレノイドが駆動開始された場合（Ｓ９０２：Ｙ）には、磁気検出器１３０に対してソレノイド駆動信号Ｓｃを出力する（Ｓ９０９）。そして、判定対象となるソレノイドが駆動終了となった場合（Ｓ９０３：Ｙ）には、出力中のソレノイド駆動信号Ｓｃを停止する（Ｓ９１０）。
【０１１６】
次に、遊技制御用マイクロコンピュータ５６０は、磁気検出器１３０からのエラー信号が磁界検出（磁石検出）に対応する状態（例えば、ハイレベル）になっているか否かを確認する（ステップＳ９０４）。なお、以下、エラー信号が磁界検出（磁石検出）に対応する状態になっていることをエラー信号が出力されているといい、エラー信号が磁界未検出（磁石未検出）に対応する状態（例えば、ローレベル）になっていることをエラー信号が出力されていないという。
【０１１７】
エラー信号が出力されている場合（ステップＳ９０４：Ｙ）には、異常が検知されたことを報知するための異常報知処理（ステップＳ９０５〜Ｓ９０８）を実行する。本実施形態では、異常報知処理として、遊技制御用マイクロコンピュータ５６０は、演出制御基板８０に対し、例えば「磁石発見」を示す画像や異常検出の旨を示す画像を演出表示装置９に表示する制御を行う（ステップＳ９０５）。また、遊技制御用マイクロコンピュータ５６０は、演出制御基板８０に対し、異常報知音に対応する音番号データを音声出力基板７０に出力させ、スピーカ２７から異常報知音が出力させる（ステップＳ９０６）。また、遊技制御用マイクロコンピュータ５６０は、異常が検知された遊技機１の識別情報等を含む情報を、通信部４２を介してホール管理コンピュータに送信する（ステップＳ９０７）。そして、異常報知中フラグをセットする（ステップＳ９０８）。なお、セットされた異常報知中フラグは、ホールスタッフ等の管理者の操作等により解除されるまで、セットされた状態が維持される。
【０１１８】
以上のような異常報知処理によって、遊技球を入賞領域に不正に誘導するような不正行為に使用される可能性がある磁石、または不正行為に使用されている磁石が発見された場合には、遊技機１において、演出表示装置９において異常を示す状態が表示されるとともに、スピーカ２７から異常報知音が出力される。そして、ホール管理コンピュータに対しても通報が行われる。
【０１１９】
なお、磁気検出器１３０からエラー信号が出力されたときに実行する異常報知処理としては、演出表示装置９のみを用いて異常報知を行うことや、スピーカ２７のみを用いて異常報知を行う等、適宜形態を採用することが可能である。また、他の演出装置（例えば、ＬＥＤ等の発光体）を用いて異常報知を行うことや、演出表示装置９やスピーカ２７と、他の演出装置（例えば、ＬＥＤ等の発光体）とを併用してもよい。
【０１２０】
また、この実施の形態では、磁気検出器１３０からエラー信号が出力されると、ホールスタッフ等の管理者の操作により異常報知中フラグが解除されるまで、異常報知処理は継続して実行される。異常報知処理は、この他、遊技機１に対する電力供給が停止されるまで継続して実行する、あるいは、磁気検出器１３０からのエラー信号の出力が無くなると（エラー信号が磁界未検出（磁石未検出）に対応する状態になると）、異常報知を終了する等、各種継続の形態を採用することが可能である。
【０１２１】
図９、図１０は、本実施形態の磁気検出器１３０の外観を示した図であり、図９は、磁気検出器１３０の斜視図を、図１０は磁気検出器１３０の三面図（上面図、側面図）を示している。本実施形態の磁気検出器１３０は、上蓋１３１ａと下箱１３１ｂで構成される筐体１３１を有しており、この筐体１３１内部に磁気検出素子１７０や制御回路１８０等の各種部品が実装される。上蓋１３１ａと下箱１３１ｂを組み合わせた際、ケーブル導出孔１３２が形成される。このケーブル導出孔１３２は、電源の供給や各種信号の入出力のためのケーブルを筐体１３１内部から外部に導出するための孔である。本実施形態では、上蓋１３１ａに突起部１３１ｃが形成されており、ケーブル導出孔１３２の大きさの拡大が図られている。
【０１２２】
本実施形態の磁気検出器１３０は、直方体形状で形成される６面の内、３面（第１取付面Ｓ１、第２取付面Ｓ２、第３取付面Ｓ３）を遊技機１に対する取付面として使用可能としている。取付面の選定（取付態様の選定）は、遊技機１の機種毎に異なる遊技機１の背面の状況によって選定される。本実施形態では、３面の内の何れかの取付面を選定した際、遊技機１に対する取付面積（取付面の面積に相当）、遊技機１の背面における磁気検出器１３０の突出し量、磁気検出器１３０のケーブル導出孔１３２から導出されるケーブルの導出方向が異なるため、遊技機１の背面の状況に対応することが可能となる。ここで、磁気検出器１３０について座標系を定義しておく。第１取付面Ｓ１がｘｙ平面と平行となるように、第２取付面Ｓ２がｚｘ平面と平行となるように、そして、第３取付面がＳ３がｙｚ平面と平行となるように、互いに直交するｘ軸、ｙ軸、ｚ軸を定義する。
【０１２３】
本実施形態の磁気検出器１３０は、互いに直交するｘ軸、ｙ軸、ｚ軸を磁気検出方向として検出することが可能である。具体的には、図１７に示す磁気検出器１３０の構成中、ｘ軸センサ１３ｘがｘ軸方向の磁気を検出し、ｙ軸センサ１３ｙがｙ軸方向の磁気を検出し、ｚ軸センサ１３ｚがｚ軸方向の磁気を検出する。本実施形態の磁気検出器１３０は、ｘ軸、ｙ軸、ｚ軸中、２軸を有効検出方向として設定することが可能である。すなわち、ｘｙ平面、ｙｚ平面、ｚｘ平面の内、何れかの平面を磁気を検出する有効平面として設定することが可能である。本実施形態における有効平面の設定は、設定基板６０の回路構成（ハード仕様）によって実現しているが、有効平面の設定は、この他、設定基板６０あるいは磁気検出器１３０に設けた機械的スイッチを切り換えることで行う（ハード仕様）、あるいは、遊技制御用マイクロコンピュータ５６０、あるいは、演出制御用マイクロコンピュータ１００等のプログラム処理で行う（ソフト仕様）等、各種形態を採用することが可能である。
【０１２４】
以上、本実施形態の磁気検出器１３０の筐体１３１、並びに、磁気検出方向について説明したが、磁気検出器１３０はこのような形態に限らず各種形態を採用することが可能である。例えば、筐体１３１の形状については、各面を長方形で構成した直方体に限らず、何れかの面を正方形にした形状、あるいは、全ての面を正方形にする形状（直方体）とすることとしてもよい。直方体の場合、何れの面を取付面に選定しても取付面の面積は同じであるが、選定する取付面によってケーブル導出孔１３２の向く方向が異なるため、取付面を選定することで、ケーブルの導出方向を変化させることが可能であり、遊技機１の機種によって異なる背面の状況に対応することが可能である。
【０１２５】
また、本実施形態の磁気検出器１３０は、筐体１３１上の３面を取付面（Ｓ１〜Ｓ３）として使用可能としているが、取付面は筐体１３１上の２面以上であればよく、磁気検出器１３０内の磁気センサの配置状態に応じて適宜に設定することが可能である。
【０１２６】
図１１〜図１３は、磁気検出器１３０の取り付け態様（態様Ａ〜態様Ｃ）を示す斜視図である。図９、図１０で説明したように本実施形態の磁気検出器１３０は、３面の取付面（Ｓ１〜Ｓ３）を有して構成されている。したがって、各取付面を遊技機１の背面に対向させた３つの取り付け形態を選択することが可能である。図１１〜図１３は、遊技盤６の背面（遊技機１の背面）の様子を模式的に示した図であり、左下には図１と同じ遊技機１の座標系が示されている。なお、図１１〜図１３に記載する遊技盤６の背面の様子は、平板として模式的に示しているが、実際には遊技機１の各種部品が配置されている。また、遊技盤６に対する磁気検出器１３０の縮尺についても模式的に示したものであり、実際のものとは異なる場合がある。
【０１２７】
図１１は磁気検出器１３０の取り付け態様（態様Ａ）を示した斜視図である。図中、磁気検出器１３０のケーブル導出孔１３２から導出されたケーブル１３６が示されている。ケーブル１３６は、外部の設定基板６０に接続される。この態様Ａでは、磁気検出器１３０の第１取付面Ｓ１を遊技盤６の背面に対向させて取り付けた態様となっている。なお、磁気検出器１３０の取り付けは、各種固定手段を使用して行われる。磁気検出器１３０は遊技盤６に取り付ける態様の他、遊技機１の遊技盤６以外に対して取り付けることとしてもよい。なお、磁気検出器１３０は、磁気を検出する特性上、金属以外の固定手段を使用することが好ましい。
【０１２８】
第１取付面Ｓ１は、最も広い面積を有する取付面であり、第１取付面Ｓ１が遊技盤６の背面に平行となるように取り付ける態様Ａの場合、磁気検出器１３０を安定して固定することが可能である。また、態様Ａでは、遊技機１の背面方向（Ｚ軸正の方向）に対する突出量を最も抑えることが可能であり、他の部品との干渉を抑えることが可能である。また、態様Ａでは、ｘ軸とｙ軸を磁気検出器１３０の有効検出方向とし、また、ｚ軸を無効検出方向としている。すなわち、遊技機１のＸＹ平面と平行な磁気検出器１３０のｘｙ平面を有効平面としている。このように遊技盤６と平行な面を有効平面として設定することで、遊技機１のガラス扉枠２に沿って使用される磁石の磁気を精度よく検出することが可能となる。また、遊技機１の背面方向（Ｚ軸正の方向）の遊技機１の動作による磁気、あるいは、遊技機１の背後等によって発生する外部磁気等による誤検出の抑制を図ることが可能となっている。
【０１２９】
また、この態様Ａでは、ケーブル導出孔１３２を有する面（ｚｘ面）が、遊技機１のＸＹ平面と直交するため、遊技機１のＸＹ平面と平行な方向にケーブル１３６を取り出すことが可能である。
【０１３０】
図１２は磁気検出器１３０の取り付け態様（態様Ｂ）を示した斜視図である。この態様Ｂでは、磁気検出器１３０の第２取付面Ｓ２を遊技盤６の背面に対向させて取り付けた態様となっている。第２取付面Ｓ２は、最も狭い面積を有する取付面であり、第２取付面Ｓ２が遊技盤６の背面に平行となるように取り付ける態様Ｂの場合、遊技機１の背面方向（Ｚ軸正の方向）に対する突出量は最大となるものの、最小限の取付面積で磁気検出器１３０を固定することが可能となる。
【０１３１】
また、態様Ｂにおいても態様Ａの場合と同様、磁気検出器１３０の有効平面は、遊技機１のＸＹ平面と平行な面（この場合ｚｘ平面）となっている。すなわち、磁気検出器１３０のｘ軸とｚ軸が有効検出方向であり、また、磁気検出器１３０のｙ軸が無効検出方向となっている。また、この態様Ｂでは、ケーブル導出孔１３２を有する面（ｚｘ面）が、遊技機１のＸＹ平面と平行となるため、遊技機１のＸＹ平面と垂直な方向にケーブル１３６を取り出すことが可能である。
【０１３２】
図１３は磁気検出器１３０の取り付け態様（態様Ｃ）を示した斜視図である。この態様Ｃでは、磁気検出器１３０の第３取付面Ｓ３を遊技盤６の背面に対向させて取り付けた態様となっている。第３取付面Ｓ３は、第１取付面Ｓ１と第２取付面Ｓ２の中間の面積を有する取付面であり、第３取付面Ｓ３が遊技盤６の背面に平行となるように取り付ける態様Ｃの場合、態様Ａと態様Ｃの間の取付面積、並びに、態様Ａと態様Ｃの間の遊技機１の背面方向（Ｚ軸正の方向）に対する突出量とすることが可能である。
【０１３３】
また、態様Ｃにおいても態様Ａ、態様Ｂの場合と同様、磁気検出器１３０の有効平面は、遊技機１のＸＹ平面と平行な面（この場合ｙｚ平面）となっている。すなわち、磁気検出器１３０のｙ軸とｚ軸が有効検出方向であり、また、磁気検出器１３０のｘ軸が無効検出方向となっている。また、この態様Ｃでは、態様Ａの場合と同様、ケーブル導出孔１３２を有する面（ｚｘ面）が、遊技機１のＸＹ平面と直交するため、遊技機１のＸＹ平面と平行な方向にケーブル１３６を取り出すことが可能である。
【０１３４】
以上、図１１〜図１３について３つの取り付け態様（態様Ａ〜Ｃ）を説明したが、本実施形態の磁気検出器１３０によれば、遊技機１の背面の状態（部品の配置状態等）に応じた取り付け態様を選定することが可能となる。本実施形態では、取付面（Ｓ１〜Ｓ３）の面積、並びに、ケーブル１３６の導出方向の違いを利用して、遊技機１の背面の状態に応じた取り付け態様を選定することが可能となっている。そして、選定した取り付け態様にしたがって、磁気検出器１３０の３軸の磁気検出方向の内、２軸を有効検出方向として設定することで、遊技機１のガラス扉枠２に沿って使用される磁石の磁気の検出精度の向上、並びに、遊技機１の背後等によって発生する外部磁気等による誤検出の抑制を図ることが可能となっている。
【０１３５】
また、本実施形態の磁気検出器１３０は、背面のレイアウトが異なることが考えられる複数の遊技機１の機種に使用することが可能である。したがって、磁気検出器１３０を遊技機１の機種に合わせて設計する必要が無く、複数の機種で兼用して使用することが可能である。また、遊技機１をリサイクルする際、取り外した磁気検出器１３０を他の機種に再利用することも可能である。このように本実施形態の磁気検出器１３０は、複数の機種間で使用することが可能であるため、磁気検出器１３０について、設計上、製造上、リサイクル上におけるコスト削減を図ることが可能である。
【０１３６】
なお、本実施形態では、３通りの取り付け態様（態様Ａ〜態様Ｃ）について説明を行ったが、取り付け態様は２通り以上であればよい。例えば、取付面積の最も大きい図１１の態様Ａ、取付面積の最も小さい図１２の態様Ｂに限定することが考えられる。この場合、磁気検出器１３０は、ｘ軸とｙ軸を有効検出方向とする設定（態様Ａの場合）、ｚ軸とｘ軸を有効検出方向とする設定（態様Ｂの場合）の２通りに設定可能とするように設計される。
【０１３７】
図１４は、磁気検出器１３０の構成例を、設定基板６０とともに示すブロック図である。この実施形態では、磁気検出器１３０は、磁気検出素子１７０と制御回路１８０とを含んで構成されている。制御回路１８０は、ＡＤ変換器１６０と、制御部１６１を含んで構成されている。ＡＤ変換器１６０は、磁気検出素子１７０が出力するアナログ信号である検出電圧をデジタル信号に変換する。また、制御回路１８０は、平均処理、基準値補正処理、有効面設定処理、レンジ（感度）設定処理、比較処理、禁止処理を実行可能としている。なお、制御回路１８０には、プログラムに従って制御動作を行うマイクロコントローラ（例えば、テキサスインスツルメント社製ＭＳＰ４３０Ｆ２００２）を使用することができる。制御回路１８０としてマイクロコントローラを使用する場合には、上述する各処理はプログラムで実現される。
【０１３８】
磁気検出素子１７０は、互いに直交する３軸（ｘ軸、ｙ軸、ｚ軸）に沿って配置されたアモルファスワイヤに外部から与えられた磁界によるインピーダンスの変化を検出して各々の変化量にもとづく検出電圧を出力する構成であり、制御回路１８０は、磁気検出素子１７０に対してチャネル信号を出力する機能を有する。チャネル信号は、ｘ軸の検出素子（ｘ軸センサ１３ｘ）、ｙ軸の検出素子（ｙ軸センサ１３ｙ）、ｚ軸の検出素子（ｚ軸センサ１３ｚ）のうちのどの検出素子からの検出電圧を出力させるのかを選択するための信号である。
【０１３９】
平均処理は、磁気検出器１３０が出力する検出電圧値を時間平均する処理である。基準値補正処理は、磁気検出器１３０が出力する検出電圧に基づいて、合成磁界変化量を検出するための基準値を補正する処理である。有効面設定処理は、磁気検出素子１７０が出力する３軸の磁気検出方向中、２軸を有効検出方向に有する有効平面を設定する処理である。本実施形態では、ｘｙ平面、ｙｚ平面、ｚｘ平面に平行な３面中の１面を、磁気検出器１３０の取り付け態様に応じて有効平面として設定している。レンジ（感度）設定処理は、磁石を使用した不正検出判定のための閾値を変更することで、磁気検出器１３０における磁気検出のレンジ（感度）を設定する処理である。比較処理は、有効平面上における合成磁界変化量が、レンジ設定処理で設定された閾値を超えた場合、エラー信号を遊技制御用マイクロコンピュータ５６０に対して出力する処理である。禁止処理は、遊技制御用マイクロコンピュータ５６０から出力されるソレノイド駆動信号Ｓｃに基づいて、磁気検出素子１７０に影響を及ぼす磁気の変化期間に対応して、当該変化期間において磁気検出器１３０からエラー信号が出力されることを禁止する。なお、禁止処理では、磁気変化期間の終了直後に、基準値補正処理を実行することで、磁気変化期間の後の磁気の状態に基準値補正することとしている。
【０１４０】
図１５は、磁気検出器１３０の実現例の構成例を示すブロック図であり、図１６は、磁気検出器１３０の入出力部（入出力端子）端子の機能を説明する図である。本実施形態の磁気検出器１３０は、磁気検出素子１７０と制御回路１８０を含んで構成された装置である。図１５に示す例では、磁気検出器１３０は、磁気検出素子１７０と、制御回路１８０と、外部から入力される＋１２Ｖの電圧を安定化して磁気検出素子１７０と制御回路１８０に供給するレギュレータ１８３と、選択信号Ｓａ（ＳＥＬＥＣＴ１から入力）、レンジ設定信号Ｓｂ（端子ＳＥＬＥＣＴ２から入力）、ソレノイド駆動信号Ｓｃ（端子ＳＥＬＥＣＴ３から入力）を入力して、制御回路１８０に出力するバッファ回路１８５、１８６、１８７と、エラー信号を出力する出力トランジスタ１８４とを含んで構成されている。
【０１４１】
図１７は、磁気検出素子１７０の制御構成例を示すブロック図である。図１７に示す例では、磁気検出素子１７０は、ｘ軸センサ１３ｘ、ｙ軸センサ１３ｙおよびｚ軸センサ１３ｚに加えて、クロック信号を出力する発振器１３８と、発振器１３８からのクロック信号を、ｘ軸センサ１３ｘ、ｙ軸センサ１３ｙ、ｚ軸センサ１３ｚに対して出力するタイミング制御回路１３９と、ｘ軸センサ１３ｘ、ｙ軸センサ１３ｙおよびｚ軸センサ１３ｚの出力側に接続された基準電圧発生器１３３と、入力端子ＣＨ１〜ＣＨ３に入力されるチャネル信号に従って、タイミング制御回路１３９にクロック出力選択信号を出力するとともに、ｘ軸センサ１３ｘ、ｙ軸センサ１３ｙ、ｚ軸センサ１３ｚの検出電圧を入力するサンプルホールド回路（選択回路）１３４と、サンプルホールド回路１３４が入力した検出電圧を増幅して出力する差動増幅器１３５とを有する。
【０１４２】
ｘ軸センサ１３ｘ、ｙ軸センサ１３ｙ、ｚ軸センサ１３ｚは、軸方向が互いに直交するように配置されている。また、ｘ軸センサ１３ｘ、ｙ軸センサ１３ｙ及びｚ軸センサ１３ｚの軸は、アモルファスワイヤで構成され、アモルファスワイヤに巻かれたコイルが、アモルファスワイヤに外部から与えられた磁界によるインピーダンスの変化を検出して、インピーダンスの変化に応じた電圧値の検出電圧を出力する。なお、インピーダンスの変化を検出する部材は、アモルファスワイヤに巻かれたコイルではなく、アモルファスワイヤの近傍に設置されたコイルでもよい。また、本実施形態の磁気検出器１３０に使用する磁気検出素子１７０は、アモルファスワイヤを使用する形態の他、ホール素子を用いた形態等、各種形態を採用することが可能である。
【０１４３】
本実施形態では、このｘ軸〜ｚ軸の３軸中、２軸を磁気の有効検出方向に持つ有効平面に使用し、エラー信号の判定に使用している。有効平面は、磁気検出器１３０の取り付け態様に応じて設定される。本実施形態では、ガラス扉枠２の面と平行になるように有効平面を設定することとしている。すなわち、図１１〜図１３で説明したように、磁気検出器１３０の設置態様にしたがって、３軸中の２軸で構成される有効平面が設定される。言い換えると、３軸中の１軸（本実施形態ではガラス扉枠２に垂直な軸）は、無効軸（エラー信号の判定に使用しない軸）として設定されることになる。なお、本実施形態では、ガラス扉枠２の面と平行になるように有効平面を設定しているが、遊技機１と磁気検出器１３０の有効平面の配置関係は、遊技機１の機種の違いによる部品の配置等、各種条件によって適宜に決定することが可能である。
【０１４４】
本実施形態では、制御回路１８０を実現するマイクロコントローラのソフトウェアによって、センサの特性のばらつき等や地磁気の影響を排除する。具体的には、遊技機１に対する電力供給が開始されたとき等に磁気検出素子１７０から検出電圧を入力して、入力した検出電圧に基づいて基準値を設定する。そして、有効平面について磁気検出器１３０からの検出電圧の基準値からの変化量（合成磁界変化量）を算出し、変化量が閾値を越えた場合に、遊技機１の近傍に磁石が存在すると判定し、エラー信号を出力する。なお、本実施形態では、設定した基準値を適宜補正することで、電磁部品の着磁等による環境の変化にも対応可能としている。
【０１４５】
図１８は、制御部１６１の制御構成例を示すブロック図である。本実施形態の制御回路１８０は、ｘ軸、ｙ軸、ｚ軸に対応する磁界変化量算出部２０２ｘ、２０２ｙ、２０２ｚと、合成ベクトル算出部２３３、磁界検出部２３４を備えて構成されている。磁界変化算出部２０２ｘ、２０２ｙ、２０２ｚは、磁気検出素子１７０の出力に基づいて、各軸方向の磁界変化量（周囲磁場の変化）を監視する監視処理を実行する。合成ベクトル算出部２３３は、各軸方向の磁界変化量に基づいて、２軸で構成された平面内の合成磁界変化量を算出する。磁界検出部２３４は、ある平面（選択信号Ｓａにて設定される平面）内における合成磁界変化量を閾値と比較し閾値を超えた場合、不正な磁場変化を示すエラー信号を出力する検出処理を実行する。そして、この磁界検出部２３４では、出力禁止信号Ｓｃａが示す出力禁止期間に基づいてエラー信号の出力を禁止する禁止処理を実行する。本実施形態では、このように監視処理、検出処理、禁止処理を磁気検出器１３０内の制御部１６１で実行することとしている。このような形態に代え、監視処理、検出処理、禁止処理の何れか１つの処理は、磁気検出器１３０以外で行うこととしてもよい。磁気検出器１３０以外で行う場合、遊技機１内の遊技制御用マイクロコンピュータ５６０や、演出制御用マイクロコンピュータ１００等で実行することが考えられる。
【０１４６】
磁界変化量算出部２０２ｘ、２０２ｙ、２０２ｚは、それぞれ、ｘ軸センサ１３ｘ、ｙ軸センサ１３ｙ、ｚ軸センサ１３ｚの検出電圧値について基準値を算出し、現在の検出電圧値（平均化された検出電圧値）と基準値の差である磁界変化量を各軸について算出する。図には、ｘ軸についての磁界変化量算出部２０２ｘの構成例が示されているが、ｙ軸、ｚ軸についての磁界変化量算出部２０２ｙ、２０２ｚは、磁界変化量算出部２０２ｘの構成例と同様である。
【０１４７】
また、制御部１６１は、遊技機１に対する電力供給（磁気検出器１３０に対する電源供給でもある）が開始された起動時から所定期間（本実施形態では５秒）が経過するまでエラー信号の出力を禁止する起動時禁止処理を実行する。図２０には、磁気検出器１３０で実行する起動時禁止処理を示すフローチャートが示されている。遊技機１では、電源投入直後に、各種駆動機構の動作確認のため、駆動機構を一斉に駆動させる動作確認処理を実行することがある。このように駆動機構を一斉に動作させたる動作確認処理では、磁気検出器１３０は、誤検知してエラー信号を出力することが考えられる。そのため、本実施形態では、電源投入から所定期間（本実施形態では５秒間）の間、磁気検出器１３０からのエラー信号の出力を禁止することで、駆動機構の一斉動作等に基づく誤検知の抑制を図ることとしている。なお、異常報知禁止フラグの設定期間は、遊技機１の機種等に応じて適宜値を設定することが可能である。
【０１４８】
磁気検出器１３０に電源供給が開始された後、制御部１６１は、異常報知禁止フラグを設定する（ステップＳ６１）。この異常報知禁止フラグが設定されている期間は、磁気検出器１３０はエラー信号を出力しない。次に、制御部１６１は、所定期間に対応する禁止期間値を禁止期間タイマにセットする（ステップＳ６２）。禁止期間タイマは、ステップＳ６１で設定した異常報知禁止フラグの設定状態を継続するタイマであり、本実施形態では禁止期間値として５秒が設定される。制御部１６１は、禁止期間タイマをカウントし、禁止期間値が経過したか否かを判定する（ステップＳ６３）。禁止期間値が経過したことを判定した場合（ステップＳ６３：Ｙ）、異常報知禁止フラグを解除し、磁気検出器１３０からエラー信号を出力することを許可する。
【０１４９】
本実施形態では、磁気検出器１３０において起動時禁止処理を実行することとしているが、遊技機１の起動時における誤検知防止のための処理は、遊技制御用マイクロコンピュータ５６０で実行することとしてもよい。具体的には、遊技機１に電源が投入されてからの所定期間、遊技制御用マイクロコンピュータ５６０は、磁気検出器１３０から出力されたエラー信号を無視することで、起動時における誤検知を防止することが可能である。しかしながら、この場合、遊技制御用マイクロコンピュータ５６０において、所定期間をカウントする等の処理が発生することになる。遊技制御用マイクロコンピュータ５６０では、ＲＯＭ５４やＲＡＭ５５の容量等、各種制限が設けられるため、遊技制御用マイクロコンピュータ５６０に対する負担削減のためには、本実施形態のように磁気検出器１３０において起動時禁止処理を実行することが好ましい。
【０１５０】
ところで、遊技機１の機種によっては、起動時駆動処理において不具合が発生した場合等、起動時から所定期間経過した後においても起動時駆動処理を延長して行うことがある。このような場合、磁気検出器１３０は、起動時駆動処理によるソレノイドの駆動で発生した磁気を外部の磁石による磁気と誤検出することが考えられる。したがって、起動時禁止処理では、所定期間経過後においても起動時駆動処理を延長した場合、起動時駆動処理の継続に対応させ、エラー信号の出力の禁止期間を延長することとしてもよい。
【０１５１】
電源供給開始から所定期間（本実施形態では５秒）経過した後、制御部１６１は、１分が経過する毎に、各軸について基準値を更新（補正）する。すなわち、定期的に基準値を更新する。基準値を更新する際に、磁気検出素子１７０の検出電圧値と、過去の磁気センサの検出電圧値とに基づいて、新たな基準値を決定する。定期的に基準値を更新する理由は、遊技機１の稼働が進むと遊技機１に設けられている電磁部品等が着磁する可能性も考えられ、着磁した場合には、遊技機１の近傍に磁石が存在しない場合であっても、磁気検出素子１７０が出力する検出電圧値の値が変わるからである。なお、この実施の形態では、１分毎に基準値を更新するが、１分の周期は一例であり、他の更新周期を用いてもよい。ただし、基準値を更新する周期が短すぎると、磁石を低速で動かして行う不正行為を検出できなくなるおそれがあるので、ある程度以上の長さの周期であることが好ましい。
【０１５２】
制御部１６１は、ｘ軸センサ１３ｘ、ｙ軸センサ１３ｙ、ｚ軸センサ１３ｚから出力され、ＡＤ変換器１６０でデジタル信号化されたデータを２ｍｓの周期で順に選択する。すなわち、２ｍｓ毎に、ｘ軸、ｙ軸、ｚ軸のデータが制御部１６１に入力される。各軸のデータは、対応する磁界変化量算出部２０２ｘ〜２０２ｚに入力され、各軸について磁界変化量が算出される。
【０１５３】
磁界変化量算出部２０２ｘに入力されたデータは、レジスタ２５１に記憶され、２ｍｓ経過する毎に、次段のレジスタ２５２〜２５８に順次シフト転送される。なお、最終段のレジスタ２５８に記憶したデータは、新しいデータがシフト転送される毎に破棄される。第１平均化部２０３は、レジスタ２５１〜２５８に記憶するデータを平均化することで、ｘ軸センサ１３ｘの出力するデータを時間平均する。本実施形態では、このようにデータを時間平均することで、瞬間的な磁界変化の検出を排除している。
【０１５４】
図１９は、基準磁界補正部２０４の機能構成を示すブロック図である。基準磁界補正部２０４において、設定更新部２７１は、遊技機１の電源オンから５秒経過したときに、初回の基準値を算出する。初回時、レジスタ２６１〜２６８は空であるため、第１平均化部２０３が出力するデータを、レジスタ２６１〜２６８に順次シフト転送して格納する。第１平均化部２０３は２ｍｓ毎にデータを出力するため、１４ｍｓ経過後に全てのレジスタ２６１〜２６８にデータが格納される。第２平均化部２７３は、レジスタ２６１〜２６８に格納したデータを平均化して初回の基準値として出力する。なお、この初回の基準値の算出は、電源オンから５秒経過したときだけでなく、制御部１６１が異常磁界の検出を停止したとき（エラー信号の出力状態から出力停止状態に変化したとき）、あるいは、再設定信号Ｓｃｂを入力したときに、それまでに記憶していたレジスタ２６１〜２６８の内容を破棄して、新たに初回の基準値を再計算する。
【０１５５】
初回の基準値の算出後、設定更新部２７１は、各レジスタ２６ｘ（ｘ：１〜８）の内容を１分ごとに更新（シフト転送）し、各レジスタ２６ｘ（ｘ：１〜８）の内容を第２平均化部２７３に出力する。なお、最終段のレジスタ２６８内にあったデータは破棄される。第２平均化部２７３は、レジスタ２６１〜２６８に格納されたデータを加算し、加算値を、下位ビットの方向に３ビット分シフトする。すなわち、１／８する処理（平均化する処理）を実行する。そして、第２平均化部２７３は、平均化した値を基準値として、減算部２０５（図１８参照）及び設定更新部２７１に出力する。なお、設定更新部２７１は、第２平均化部２７３から出力された基準値と第１平均化部２０３から出力された現在値の差が所定値以上（例えば、７以上）である場合には、直前の基準値との差が７になるように第２平均化部２７３から出力された現在値を補正し、補正後の基準値をレジスタ２６１に格納する。なお、この補正は、磁気検出器１３０がエラー信号を出力しているとき、すなわち遊技機１の外部に不正な磁石の存在を検出している期間には行わない。
【０１５６】
以上のように、本実施形態では、レジスタ２６１〜２６８には、電力供給開始時（具体的には、電源オンから５秒経過時）に第１平均化部２０３が出力したデータを２ｍｓ毎に初期値として格納し、第２平均化部２７３で平均化した値を基準値として出力する。その後、１分経過する度に、第２平均化部２７３が出力したデータで基準値を更新（再計算）する。
【０１５７】
図１８に示す減算部２０５は、第１平均化部２０３が出力する現在値から、基準磁界補正部２０４が出力する基準値を減算し、その絶対値をとった値を各軸に関する磁界変化量として算出する。算出された各軸に関する磁界変化量は合成ベクトル算出部２３３に出力される。したがって、合成ベクトル算出部２３３には、磁界変化量（基準値に対する磁界変化の絶対値）が入力されることになる。制御部１６１は、ｙ軸センサ１３ｙ、ｚ軸センサ１３ｚの出力についても、ｘ軸センサ１３ｘの出力に対する処理と同様の処理を実行する。したがって、合成ベクトル算出部２３３には、３軸（ｘ軸、ｙ軸、ｚ軸）に関する磁界変化量が入力される。
【０１５８】
合成ベクトル算出部２３３は、入力された３つの磁界変化量の値からｘ軸とｙ軸、ｙ軸とｚ軸、ｚ軸とｘ軸の組について合成磁界変化量を算出する。例えば、ｘ軸とｙ軸の組の合成磁界変化量は、ｘ軸の磁界変化量の２乗とｙ軸の磁界変化量の２乗の和の平方根として算出される。すなわち、ｘｙ平面における合成磁界変化量となる。他の２組（ｙ軸とｚ軸、ｚ軸とｘ軸）についても同様に演算が行われることで、それぞれ、ｙｚ平面、ｚｘ平面における合成磁界変化量が算出される。算出された各平面（ｘｙ平面、ｙｚ平面、ｚｘ平面）に関する合成磁界変化量は磁界検出部２３４に出力される。
【０１５９】
磁界検出部２３４は、遊技機１の外部（ガラス扉枠２の側）から磁石による不正操作によって発生する不正磁場の有無を検出する。不正磁場が検出された場合、磁界検出部２３４は、主基板３１の遊技制御用マイクロコンピュータ５６０にエラー信号を出力する。本実施形態では、この磁界検出部２３４にて、有効面設定機能とレンジ（感度）設定機能を実現している。有効面設定機能は、磁気検出素子１７０が出力する３軸の磁気検出方向中、２軸を有効検出方向に有する有効平面を設定する機能である。本実施形態では、ｘｙ平面、ｙｚ平面、ｚｘ平面中の３面中の１面を、磁気検出器１３０の取り付け態様に応じて有効平面として設定している。図１１〜図１３で説明したように、本実施形態の磁気検出器１３０は、３つの態様（態様Ａ〜態様Ｃ）で、遊技機１に取り付けることが可能である。
【０１６０】
遊技機１への電源供給開始に伴い、設定基板６０に電源電圧が印加開始されると、設定基板６０は、電源電圧に基づいて発生させた所定の選択信号Ｓａを、磁気検出器１３０の端子（ＳＥＬＥＣＴ１）に供給する。磁気検出器１３０の制御回路１８０は、この選択信号Ｓａに基づいて２軸の有効検出方向を有する有効平面を設定する。磁界検出部２３４は、合成ベクトル算出部２３３から出力する３つの合成磁界変化量の内、有効平面に対応する１の合成磁界変化量を判定のために使用する。本実施形態の選択信号Ｓａは、図１１〜図１３の態様Ａ〜Ｃに対応した３つの状態を取り得ることとしているが、選択信号Ｓａは、２つの状態（例えば、態様Ａと態様Ｂ）に簡易化することとしてもよい。この場合、選択信号Ｓａは、各態様に対応する、Ｈｉ（例えば、電源電圧）、Ｌｏｗ（例えば、０［Ｖ］ＧＮＤ）の２つの状態とすることが可能となり、設定基板６０の回路構成を簡単にすることが可能となる。
【０１６１】
図２１（Ａ）には、選択信号Ｓａと磁気検出方向に基づく有効平面、無効軸との関係を示す選択テーブルが示されている。制御回路１８０は、この選択テーブルの関係にしたがって、入力された選択信号Ｓａに応じて２軸の有効検出方向を有する有効平面を設定する。選択信号ＳａがＶ１ａ［Ｖ］を示す場合、磁気検出器１３０のｘ軸とｙ軸を有効検出方向（ｘｙ平面が有効平面）として設定し、ｚ軸方向を無効軸として設定する（態様Ａの場合）。選択信号ＳａがＶ１ｂ［Ｖ］を示す場合、磁気検出器１３０のｚ軸とｘ軸を有効検出方向（ｚｘ平面が有効平面）として設定し、ｙ軸方向を無効軸として設定する（態様Ｂの場合）。選択信号ＳａがＶ１ｃ［Ｖ］の場合には、磁気検出器１３０のｙ軸とｚ軸を有効検出方向（ｙｚが有効平面）として設定し、ｘ軸方向を無効軸として設定する（態様Ｃの場合）。
【０１６２】
このように、本実施形態では、設定基板６０に対する電源供給に基づいて発生する選択信号Ｓａによって、２軸の有効検出方向を有する有効平面を設定している。有効平面の設定は、本実施形態のように設定基板６０を使用した形態のみならず、磁気検出器１３０を主基板３１あるいは演出制御基板８０の制御によって行う形態としてもよい。しかしながら、本実施形態のように設定基板６０で設定を行うことで、主基板３１あるいは演出制御基板８０に対する負荷を削減することが可能となっている。
【０１６３】
磁界検出部２３４は、選択信号Ｓａに基づいて選択された有効平面に対応する合成磁界変化量を閾値と比較して、合成磁界変化量が閾値を超えた場合、遊技制御用マイクロコンピュータ５６０に対してエラー信号を出力する比較機能を有している。本実施形態では、この比較機能に使用する閾値を設定可能なレンジ（感度）設定機能を有している。レンジ（感度）は、遊技機１の背面の部品設置状態、遊技機１に対する磁気検出器１３０の取り付け位置等、遊技機１の機種によって異なる条件、あるいは、遊技機１の磁気に関する外部環境によって設定することが可能である。
【０１６４】
遊技機１への電源供給開始に伴い、設定基板６０に電源電圧が印加開始されると、設定基板６０は、電源電圧に基づいて発生させた所定のレンジ設定信号Ｓｂを、磁気検出器１３０の端子（ＳＥＬＥＣＴ２）に供給する。磁気検出器１３０の制御回路１８０は、このレンジ設定信号Ｓｂに基づいて磁気検出器１３０の検出レンジを設定する。検出レンジの設定は閾値を変更することで行われる。
【０１６５】
図２１（Ｂ）には、レンジ設定信号Ｓｂと検出レンジ、設定される閾値の関係を示す検出レンジテーブルが示されている。制御回路１８０は、この検出レンジテーブルの関係にしたがって、入力されたレンジ設定信号Ｓｂに応じた閾値を設定する。なお、検出レンジテーブル中の閾値において、Ａ１＜Ａ２＜Ａ３＜Ａ４の関係を有している。レンジ設定信号ＳｂがＶ２ａ［Ｖ］を示す場合、閾値は最小のＡ１に設定される。この場合、磁気検出器１３０の検出レンジは極大に設定される。レンジ設定信号ＳｂがＶ２ｂ［Ｖ］〜Ｖ２ｄ［Ｖ］となるにしたがって、閾値は大きく設定され、磁気検出器１３０の検出レンジは小さくなっていく。
【０１６６】
このように、本実施形態では、レンジ設定信号Ｓｂについても設定基板６０で設定することで、主基板３１あるいは演出制御基板８０で設定することと比較して、主基板３１あるいは演出制御基板８０に対する負荷を削減することが可能となっている。なお、本実施形態では、１つの磁気検出器１３０を使用した遊技機１について説明したが、磁気検出器１３０を複数備えた遊技機１とすることも可能である。その場合、設定基板６０は、各磁気検出器１３０に応じた選択信号Ｓａ、レンジ設定信号Ｓｂを出力することとなる。あるいは、磁気検出器１３０毎に設定基板６０を用意することとしてもよい。
【０１６７】
さらに本実施形態では、制御部１６１は出力禁止期間判定部２３５を備える。出力禁止期間判定部２３５は、遊技制御用マイクロコンピュータ５６０から出力されるソレノイド駆動信号Ｓｃに基づいて、磁界検出部２３４に出力禁止信号Ｓｃａと、磁界変化量算出部２０２ｘ、２０２ｙ、２０２ｚに再設定信号Ｓｃｂを出力する。出力禁止期間判定部２３５は、ソレノイド駆動信号Ｓｃに基づいて判定された、ソレノイドを駆動により外部磁気が変化する期間を出力禁止期間として判定し、この出力禁止期間に対応する出力禁止信号Ｓｃａを出力する。磁界検出部２３４は、出力禁止信号Ｓｃａが出力禁止期間を示す間、エラー信号の出力を停止する。
【０１６８】
図２２には、磁気検出器による磁気変化の検出と各種信号の関係を示すタイムチャートが示されている。このタイムチャートには、磁気検出器１３０で検出するｘ軸磁気変化の様子が示されている。磁気検出器１３０で検出する磁気変化は、ｙ軸、ｚ軸についても変化するが、ここでの図示は省略する。ソレノイド駆動信号Ｓｃは、ソレノイドを通電していない状態がＬｏｗ、ソレノイドを通電している状態がＨｉｇｈで示されている。ソレノイド駆動信号Ｓｃの制御対象となったソレノイドを有する駆動部は、Ｌｏｗでは第１の態様（例えば閉状態）を取り、Ｈｉｇｈでは第２の態様（例えば開状態）を取ることになる。ソレノイド駆動信号ＳｃがＬｏｗからＨｉｇｈ、もしくは、ＨｉｇｈからＬｏｗに変化する際、磁気検出器１３０で検出するｘ軸磁気が大きく変化することが分かる。出力禁止期間判定部２３５は、ソレノイド駆動信号ＳｃがＨｉｇｈからＬｏｗに変化した時点（ｔ１）から所定期間（Ｔ１）の間、及び、ソレノイド駆動信号ＳｃがＬｏｗからＨｉｇｈに変化した時点（ｔ３）から所定期間（Ｔ２）の間を出力禁止期間（ｔ１〜ｔ２、ｔ３〜ｔ４）と判定し、出力禁止期間を示す出力禁止信号Ｓｃａを出力している。なお、出力禁止期間を判定するための所定期間（Ｔ１、Ｔ２）は、対象となるソレノイドの特性、あるいは、ソレノイドと磁気検出器１３０の配置関係に応じて設定可能とすることとしてもよい。
【０１６９】
磁界検出部２３４は、出力禁止信号Ｓｃａが出力禁止期間を示す間、エラー信号の出力を停止する。図２２のタイムチャートを見ると、出力禁止期間は、磁気検出器１３０で検出する磁気変化が大きく変化する期間に対応している。磁気変化期間を出力禁止期間とすることで、磁気検出器１３０における磁気変化期間での誤検出の抑制を図ることとしている。
【０１７０】
また、本実施形態では、外部の磁石等による不正磁場を判定するため、適宜タイミングで基準磁界補正部２０４において基準値を更新することは先に述べたとおりである。本実施形態の基準磁界補正部２０４は、磁気変化期間の終了直後に、基準磁界補正部２０４において基準値を再設定する再設定処理を実行する。図２２には、ｘ軸磁気変化に対応して基準値Ｅｘ１、Ｅｘ２が示されている。磁界変化量の算出には、ｔ１以前では基準値Ｅｘ１を、ｔ２〜ｔ３の期間は基準値Ｅｘ２を、そして、ｔ４以降では基準値Ｅｘ１を使用する。なお、ｔ１〜ｔ２、ｔ３〜ｔ４は、出力禁止期間であるため、基準値は無関係となる。また、基準値Ｅｘ１、Ｅｘ２は、基準値を模式的に示したものである。図１９で説明したように、基準値は、過去の値を第２平均化部２７３で平均化して得られる値であって、外部の磁気環境によって変化する。したがって図に模式的に示しているように、基準値Ｅｘ１、Ｅｘ２は必ずしも一定とは限らない。
【０１７１】
出力禁止期間判定部２３５は、基準磁界補正部２０４において再設定処理を実行するため、出力禁止期間の直後、すなわち、出力禁止信号Ｓｃａが禁止から許可の状態に変化した際、再設定信号Ｓｃｂを出力する。本実施形態の再設定信号は、ＬｏｗとＨｉｇｈの２値を取り得る信号であって、出力禁止信号が禁止から許可の状態に変化した際、一定期間ＬｏｗからＨｉｇｈに変化する。基準磁界補正部２０４は、再設定信号ＳｃｂがＬｏｗからＨｉｇｈに変化したことに基づき、基準値を再設定する再設定処理を開始する。基準磁界補正部２０４における基準値の再設定は、まず、レジスタ２６１〜２６８に記憶している内容を破棄する。そして、第１平均化部２０３から入力されるデータを２ｍｓ毎に順次、レジスタ２６１〜２６８にシフト転送し、全てのレジスタ２６１〜２６８にデータを格納する。その後、第２平均化部２７３でレジスタ２６１〜２６８の内容を平均化することで新たな基準値を算出し、再設定する。
【０１７２】
このように本実施形態では、出力禁止期間の直後に基準値を再設定することで、ソレノイドの通電中の期間（図２２のｔ２〜ｔ３）であっても、外部の磁石などによる不正磁気を判定し、エラー信号を出力することが可能となる。また、出力禁止期間を磁気変化期間（ｔ１〜ｔ２、ｔ３〜ｔ４）とすることで、出力禁止期間の短縮を図り、不正磁気が検出不能となる期間の抑制を図ることが可能となっている。
【０１７３】
図２２で説明する本実施形態では、ソレノイドの通電中をＨｉｇｈ、非通電中をＬｏｗとするソレノイド駆動信号Ｓｃを例にとって説明したが、ソレノイド駆動信号Ｓｃは各種形態を採用すること考えられる。図２３、図２４は、他の実施形態の、磁気検出器１３０による磁気変化の検出と各種信号の関係を示すタイムチャートである。図２３、図２４の場合、ソレノイド駆動信号Ｓｃは、パルス状のスイッチ信号であり、ソレノイドはスイッチ信号を受信する毎に通電状態と非通電状態を切り替える。図２３のようにソレノイド駆動信号ＳｃのＨｉｇｈ期間が長い場合には、ソレノイド駆動信号Ｓｃを単純に反転させることで出力禁止信号Ｓｃａを形成してもよい。このような構成によれば、出力禁止期間判定部２３５の回路構成を簡単にすることが可能である。
【０１７４】
また、本実施形態においてソレノイド駆動信号Ｓｃは、遊技制御用マイクロコンピュータ５６０から出力することとしているが、ソレノイド１６、２１を駆動する出力回路５９から取得することとしてもよい。このような形態では、遊技制御用マイクロコンピュータ５６０における処理負担を削減することが可能となる。
【０１７５】
図２５、図２６には、他の実施形態に係る磁気検出器１３０の制御構成が示されている。図２５、図２６は共通の出力回路５９の構成を有している。出力回路５９は、入力信号を増幅する増幅器５９１、増幅器５９１の出力に接続された抵抗５９２、ソレノイド１６の両端に接続され、入力信号の入力に基づいてソレノイド１６に電源電圧ＶＳＳを印加するトランジスタ５９３、整流のためのダイオード５９４を有して構成されている。図２５の形態では、トランジスタ５９３の一端から取り出した信号をソレノイド駆動信号Ｓｃとして使用している。このような形態では、ソレノイド駆動信号Ｓｃは、ソレノイド１６の磁気変化に対すし良好な追従性を実現することが可能である。また、図２６に示すように、ソレノイド駆動信号Ｓｃは、増幅器５９１の出力を使用する等、適宜形態を採用することが可能である。
【０１７６】
出力禁止期間を決定するための信号は、図２５、図２６に示すように、直接、ソレノイド１６の駆動に関与するソレノイド駆動信号Ｓｃであってもよいが、ソレノイド１６の動作（磁気発生状態）に間接的に関与する信号を使用する形態としてもよい。例えば、ソレノイド１６は、駆動部としての可変入賞球装置１５を動作（開状態もしくは閉状態）させるための手段である。したがって、ソレノイド１６による磁気発生状態は、可変入賞装置１５の動作を検出することによっても検出することが可能である。例えば、可変入賞装置１５の開閉状態を機械的スイッチあるいは撮像手段等で検出することで、ソレノイド１６の磁気発生状態を間接的に検出し、出力禁止期間を決定することも可能である。
【０１７７】
図２７には、他の実施形態に係る磁気検出器１３０の制御構成が示されている。本実施形態では、磁気検出器１３０には、主基板３１、あるいは、演出制御基板８０等から、ソレノイド１６の動作に基づいて形成された磁気検出器制御信号Ｓｄが出力される。この磁気検出器制御信号Ｓｄは、ソレノイド１６を駆動に直接関与する形態、間接的に関与する形態、どちらであってもよい。磁気検出器制御信号Ｓｄは、増幅器５９５を介して磁気検出器１３０に入力される。磁気検出器１３０は、入力される磁気検出器制御信号Ｓｄに基づいて出力禁止期間を決定し、各種処理を実行する。
【０１７８】
また、磁気検出器１３０に対する制御は、出力禁止期間を決定するための信号（ソレノイド駆動信号Ｓｃ、磁気検出器制御信号Ｓｄ）を磁気検出器１３０に入力することに代え、磁気検出器１３０に対する電源供給をオフ状態とした後、オン状態とすることで再設定処理を行うこととしてもよい。磁気検出器１３０に対する電源供給は、主基板３１、あるいは、演出制御基板８０等によって実行される。したがって、磁気検出器１３０に対して電源供給を行う主基板３１、あるいは、演出制御基板８０は、例えば、遊技機１の電源（電源供給手段）から磁気検出器１３０に対する電源供給をオン状態、電源供給をオフ状態に切り換える電源制御手段として機能する。この場合、電源供給をオフ状態とする制御にかかる時間、並びに、電源供給がオン状態となり再設定処理に必要な時間は、ともに数十ｍｓ程度であるため、エラー信号を出力禁止すべき期間、並びに、エラー信号を出力可能とすべき期間に追従することが可能である。
【０１７９】
このような形態では、磁気検出器１３０は、電源供給が停止されたオフ状態では、検出処理の検出結果を出力する出力トランジスタ１８４がオフとなり、磁気検出器１３０からエラー信号は出力できない状態となる。また、磁気検出器１３０に電源供給の再開（電源供給をオン状態）によって出力トランジスタ１８４はオンとなる。そして、電源供給を再開したことを契機として、基準磁場を再設定する再設定処理を実行して基準値を再設定することで、不正磁場を検出可能な状態（エラー信号を出力可能な状態）に復帰する。なお、電源制御手段から磁気検出器１３０を引き抜き、磁気検出器１３０による不正磁場の検出を無効とする不正が行われることがある。このような不正行為を防ぐため、磁気検出器１３０の出力するエラー信号を受信する側（例えば、主基板３１）では、磁気検出器１３０が引き抜かれた場合、エラー信号を出力している状態として判定する、すなわち、引き抜き時とエラー信号を出力時の論理を同じとする対策（引き抜き対策）を取ることが考えられる。磁気検出器１３０が引き抜かれると、エラー信号を出力している場合と同様に、異常報知処理が実行されることになる。この場合、磁気検出器１３０の電源供給をオフ状態とした場合、エラー信号を出力している状態として誤判定することが考えられる。したがって、引き抜き対策を行った場合、磁気検出器１３０の出力するエラー信号を受信する側では、磁気検出器１３０の電源供給をオフ状態とする期間中、エラー信号を出力している状態として判定しないように構成することが必要である。
【０１８０】
図２２〜図２４のタイムチャートでは、１つソレノイドが、磁気検出器１３０に影響を及ぼす場合であるが、図１に示すように遊技機１では、２つのソレノイド１６、２１を使用する等、複数のソレノイドが使用されることがある。このような場合、磁気検出器１３０が、複数のソレノイドで発生する磁気の影響を受けることが考えられる。複数のソレノイドは、その制御タイミングも異なることが考えられるため、それに応じた対応が必要となる。
【０１８１】
図２８には、２つのソレノイド（第１ソレノイドと第２ソレノイド）を影響対象として考慮した場合のタイムチャートが示されている。第１ソレノイドと第２ソレノイドは、それぞれ、第１ソレノイド駆動信号Ｓｃ１と第２ソレノイド駆動信号Ｓｃ２によって、通電状態、非通電状態が制御される。この制御形態は図２２で説明したソレノイドの形態と同様である。出力禁止信号Ｓｃａは、第１ソレノイドＳｃ１がＬｏｗからＨｉｇｈ、もしくは、ＨｉｇｈからＬｏｗに変化した後から所定期間、出力禁止期間を示す状態に変化する。本実施形態では、第１ソレノイドと第２ソレノイドの特性の違いから出力禁止期間を判定するための所定期間の時間長を異ならせている（第１ソレノイドの所定期間＞第２ソレノイドの所定期間）。このように複数のソレノイドを影響対象として考慮する場合においても、各ソレノイドのソレノイド駆動信号Ｓｃ１、Ｓｃ２に対応して出力禁止期間を設定することで、ソレノイドを有する各種駆動部の駆動時における誤検出の抑制が図られている。また、再設定信号Ｓｃｂは、出力禁止信号Ｓｃａが禁止から許可の状態に変化した際、Ｈｉｇｈとなり、基準磁界補正部２０４に対して、基準値を再設定する再設定処理を開始させる。
【０１８２】
このように本実施形態では、ソレノイド駆動信号Ｓｃに基づいてエラー信号の出力を禁止する出力禁止期間を設定する（禁止処理）とともに、エラー信号の判定に使用する基準値を出力禁止期間の後に再設定する（再設定処理）とを実行することで、例えば、ソレノイドが通電中の期間であっても不正磁気を検出可能な期間を設けることが可能であり、不正磁気が検出不能となる期間が長期化することの抑制を図ることが可能となっている。
【０１８３】
以上、本実施形態の磁気検出器１３０は、有効平面、並びに、検出レンジ（感度）の設定を、設定基板６０の回路構成（ハード仕様）によって実現しているが、磁気検出器１３０に関する各種設定は、この他、設定基板６０あるいは磁気検出器１３０に設けた機械的スイッチを切り換えることで行う（ハード仕様）、あるいは、遊技制御用マイクロコンピュータ５６０、あるいは、演出制御用マイクロコンピュータ１００等のプログラム処理で行う（ソフト仕様）等、各種形態を採用することが可能である。
【０１８４】
図２９、図３０には、他の実施形態の磁気検出器１３０の外観を示す斜視図が示されている。図２９の磁気検出器１３０は、磁気検出器１３０の筐体１３１外部に設定用の機械的スイッチ（第１設定部１３３ａ、第２設定部１３３ｂ）を切り替えることで、有効平面の設定、並びに、検出レンジ（感度）の設定を行うことが可能である。図２９に示す例の場合、第１設定部１３３ａは、有効平面に関する３つの状態（Ａ、Ｂ、Ｃ）に切り替えるための機械的スイッチであり、Ａ、Ｂ、Ｃはそれぞれ、磁気検出器１３０の取り付け態様（態様Ａ、態様Ｂ、態様Ｃ）に対応している。図の状態は態様Ｂに設定された状態である。また、第２設定部１３３ｂは、検出レンジ（感度）に関する４つの状態（１〜４）に切り替えるための機械的スイッチであり、１〜４はそれぞれ、磁気検出器１３０の検出レンジ（極大、大、中、小）に対応している。図の状態は検出レンジが小に設定された状態である。
【０１８５】
図２９の実施形態のように機械的スイッチを筐体１３１の外部に設けた場合、この機械的スイッチが不用意に操作され、磁気検出器１３０が本来の機能を果たさないことが考えられる。したがって、このような機械的スイッチを筐体１３１の内部に格納する形態も考えられる。図２９には、このように機械的スイッチを筐体１３１の内部に格納した形態が示されている。この場合、図２９と同様の第１設定部１３３ａ、第２設定部１３３ｂが筐体１３１の内部に格納される。
【０１８６】
図２９の磁気検出器１３０では、第１設定部１３３ａの設定を目視することで、筐体１３１における有効平面を確認することが可能であったが、図２９のように第１設定部１３３ａを筐体１３１の内部に格納した場合、上蓋１３１ａを外して筐体１３１の内部の設定状況を確認する必要がある。そのため、本実施形態では、筐体１３１に有効平面を示す設置面マーカー１３７を目印として設けることとしている。この設置面マーカー１３７が示す面（有効平面）が遊技機１の背面を向くように、磁気検出器１３０を設置することで、磁気検出器１３０に設定された有効平面を機能させることが可能となる。
【０１８７】
本実施形態では、設置面マーカー１３７を上蓋１３１ａと下箱１３１ｂに架け渡して貼付したシールとすることで、設置面マーカー１３７が封印機能を兼ね備えた構成となっている。設置面マーカー１３７は、貼付した後に剥がすと剥がしたことが分かるような形態にしておくことが好ましい。また、封印機能を確実なものとするため、設置面マーカー１３７が複数の面にわたって貼付するようにしてもよい。その場合、どの面が有効平面であるかを視認できるようにマーキングされる。このような形態によれば、不用意に磁気検出器１３０の設定が変更されることを防止するとともに、磁気検出器１３０を取り付ける際の態様も筐体１３１の外部から確認することが可能である。
【０１８８】
なお、以上で説明を行った実施形態では、始動入賞にもとづいて特別図柄表示器８に可変表示される特別図柄の停止図柄が所定の図柄の組み合わせになると大当りになるタイプの遊技機１（第１種遊技機ということにする。）を例にしたが、始動入賞にもとづいて開放する電動役物の所定領域（特定領域：Ｖ入賞領域）への入賞があると大当りになるタイプの遊技機（第２種遊技機ということにする。）にも本発明を適用することができる。
【０１８９】
第２種遊技機では、電動役物の入口および特定領域が不正行為を受けやすいので、磁気検出器１３０は、電動役物の入口および特定領域に遊技球を不正に誘導する行為を発見できるように設けられていることが好ましい。第２種遊技機では、不正に遊技球を特定領域に入賞させることによって直接的に大当りを発生させることができ遊技店が被る損害が大きいので、磁気検出器１３０を設けることによる効果は大きい。しかし、この実施の形態で例示した第１種遊技機についても、始動入賞口に遊技球を不正に誘導したり、大入賞口に遊技球を不正に誘導したりする不正行為によって遊技店が損害を被るおそれがあるため、磁気検出器１３０を設けることが効果的である。また、本発明は、第１種遊技機、第２種遊技機のようなパチンコ遊技機のみならず、スロット遊技機遊技機等、各種遊技機に適用することも可能である。
【０１９０】
また、この実施形態では、磁気検出器１３０が出力するエラー信号は、遊技制御用マイクロコンピュータ５６０に入力しているが、エラー信号は演出制御用マイクロコンピュータ１００に入力させるように構成してもよい。そのように構成する場合には、演出制御用マイクロコンピュータ１００が、直接、不正行為に用いられる可能性がある磁石を発見したことを報知用の電気部品（演出装置等）を用いて報知する制御を行うこととなる。
【符号の説明】
【０１９１】
１：遊技機                            １００：演出制御用マイクロコンピュータ
２：ガラス扉枠                        １０１：演出制御用ＣＰＵ
３：打球供給皿                        １０２：入力ドライバ
４：余剰球受皿                        １０３：入力ポート
５：打球操作ハンドル                  １０４：出力ポート
６：遊技盤                            １０５：出力ポート
７：遊技領域                          １３０：磁気検出器
８：特別図柄表示器                    １３１：筐体
９：演出表示装置                      １３１ａ：上蓋
９Ｌ〜９Ｒ：図柄表示エリア            １３１ｂ：下箱
１０：普通図柄表示器                  １３１ｃ：突起部
１３：第１始動入賞口                  １３２：ケーブル導出孔
１３ａ：第１始動口スイッチ            １３３：基準電圧発生器
１３ｘ：ｘ軸センサ                    １３３ａ：第１設定部
１３ｙ：ｙ軸センサ                    １３３ｂ：第２設定部
１３ｚ：ｚ軸センサ                    １３４：サンプルホールド回路
１４：第２始動入賞口                  １３５：差動増幅器
１４ａ：第２始動口スイッチ            １３６：ケーブル
１５：可変入賞球装置                  １３７：設置面マーカー
１６：ソレノイド                      １３８：発振器
１８：特別図柄保留記憶表示器          １３９：タイミング制御回路
１８ｃ：保留記憶表示部                １６０：ＡＤ変換器
２０：特別可変入賞球装置              １６１：制御部
２１：ソレノイド                      １７０：磁気検出素子
２３：カウントスイッチ                １８０：制御回路
２５：装飾ＬＥＤ                      １８３：レギュレータ
２６：アウト口                        １８４：出力トランジスタ
２７：スピーカ                        １８５〜１８７：バッファ回路
２８：枠ＬＥＤ                        ２０２ｘ〜２０２ｚ：磁界変化量算出部
２９：入賞口                          ２０３：第１平均化部
２９ａ：入賞口スイッチ                ２０４：基準磁界補正部
３０：入賞口                          ２０５：減算部
３０ａ：入賞口スイッチ                ２３３：合成ベクトル算出部
３１：主基板                          ２３４：磁界検出部
３２：ゲート                          ２３５：出力禁止期間判定部
３２ａ：ゲートスイッチ                ２５１〜２５８：レジスタ（第１平均化部）
３３：入賞口                          ２６１〜２６８：レジスタ（第２平均化部）
３３ａ：入賞口スイッチ                ２７１：設定更新部
３５：ランプドライバ基板              ２７３：第２平均化部
３７：払出制御基板                    ３５１：入力ドライバ
３９：入賞口                          ３５２：ＬＥＤドライバ
３９ａ：入賞口スイッチ                ５０３：乱数回路
４１：普通図柄保留記憶表示器          ５６０：遊技制御用マイクロコンピュータ
４２：通信部                          ５７１：出力ポート
５４：ＲＯＭ                          ５９１：増幅器
５５：ＲＡＭ                          ５９２：抵抗
５６：ＣＰＵ                          ５９３：トランジスタ
５７：Ｉ／Ｏポート部                  ５９４：ダイオード
５８：入力ドライバ回路                ５９５：増幅器
５９：出力回路                        ７０２：入力ドライバ
６０：設定基板                        ７０３：音声合成用ＩＣ
７０：音声出力基板                    ７０４：音声データＲＯＭ
７７：中継基板                        ７０５：増幅回路
８０：演出制御基板                    ７０６：ボリューム
９７：球払出装置
【図１】
2015231402.tif 000003
【図２】
2015231402.tif 000004
【図３】
2015231402.tif 000005
【図４】
2015231402.tif 000006
【図５】
2015231402.tif 000007
【図６】
2015231402.tif 000008
【図７】
2015231402.tif 000009
【図８】
2015231402.tif 000010
【図９】
2015231402.tif 000011
【図１０】
2015231402.tif 000012
【図１１】
2015231402.tif 000013
【図１２】
2015231402.tif 000014
【図１３】
2015231402.tif 000015
【図１４】
2015231402.tif 000016
【図１５】
2015231402.tif 000017
【図１６】
2015231402.tif 000018
【図１７】
2015231402.tif 000019
【図１８】
2015231402.tif 000020
【図１９】
2015231402.tif 000021
【図２０】
2015231402.tif 000022
【図２１】
2015231402.tif 000023
【図２２】
2015231402.tif 000024
【図２３】
2015231402.tif 000025
【図２４】
2015231402.tif 000026
【図２５】
2015231402.tif 000027
【図２６】
2015231402.tif 000028
【図２７】
2015231402.tif 000029
【図２８】
2015231402.tif 000030
【図２９】
2015231402.tif 000031
【図３０】
2015231402.tif 000032